(57)【要約】【課題】端末装置の高度をより高い精度で推定することを可能にする。【解決手段】端末装置により測定された気圧を示す気圧情報、上記端末装置により測定された温度を示す温度情報、及び、上記端末装置により測定される気圧の温度への依存性を示す依存性情報を取得する取得部と、上記気圧情報、上記温度情報、及び上記依存性情報に基づいて、補正された気圧を算出する補正部と、を備える装置が提供される。【選択図】図８
2016109637.tif 000002
【特許請求の範囲】
【請求項１】
端末装置により測定された気圧を示す気圧情報、前記端末装置により測定された温度を示す温度情報、及び、前記端末装置により測定される気圧の温度への依存性を示す依存性情報を取得する取得部と、
前記気圧情報、前記温度情報、及び前記依存性情報に基づいて、補正された気圧を算出する補正部と、
を備える装置。
【請求項２】
前記補正部は、前記気圧情報、前記温度情報、前記依存性情報、及び、前記端末装置が位置するエリア内の位置で測定された温度を示す他の温度情報に基づいて、前記補正された気圧を算出する、請求項１に記載の装置。
【請求項３】
前記依存性情報は、前記端末装置により測定された気圧を示す情報と、前記端末装置により測定された温度を示す情報とに基づいて生成された情報、又は、前記端末装置において記憶されている情報である、請求項１に記載の装置。
【請求項４】
前記補正された気圧を示す補正気圧情報に基づいて、前記端末装置の高度を推定する推定部、をさらに備える、請求項１に記載の装置。
【請求項５】
前記推定部は、前記補正気圧情報、及び、前記端末装置が位置するエリア内の位置で測定された温度を示す他の温度情報に基づいて、前記高度を推定する、請求項４に記載の装置。
【請求項６】
前記装置は、前記端末装置、又は前記端末装置のためのモジュールであり、
前記装置は、
前記高度を示す高度情報をネットワークに報告する報告部、
をさらに備える、請求項４に記載の装置。
【請求項７】
前記装置は、前記端末装置、又は前記端末装置のためのモジュールであり、
前記装置は、
前記補正された気圧を示す補正気圧情報を、当該補正気圧情報に基づいて前記端末装置の高度を推定するネットワークに報告する報告部、
をさらに備える、請求項１に記載の装置。
【請求項８】
前記装置は、ネットワークノード、又はネットワークノードのためのモジュールであり、
前記装置は、
気圧及び温度を測定する条件に関する測定条件情報、又は、気圧情報及び温度情報を報告する条件に関する報告条件情報を、前記端末装置に通知する通知部、
をさらに備える、請求項１に記載の装置。
【請求項９】
気圧及び温度を測定する前記条件は、
端末装置の位置に関する位置条件が満たされること、
時間に関する時間条件が満たされること、又は、
端末装置における受信信号に関する信号条件が満たされること
を含む、
請求項８に記載の装置。
【請求項１０】
気圧情報及び温度情報を報告する前記条件は、
端末装置の位置に関する位置条件が満たされること、
時間に関する時間条件が満たされること、
端末装置における受信信号に関する信号条件が満たされること、
測定される気圧又は温度に関する測定結果条件が満たされること、
端末装置が同じ位置に又は同じ領域内に所定時間以上位置すること、
新たな位置又は領域で気圧及び温度の測定が行われること、
端末装置のモードが接続モード及びアイドルモードの一方から他方へ切り替えられること、
端末装置のハンドオーバが行われること、又は、
端末装置が緊急通信を行うこと
を含む、
請求項８に記載の装置。
【請求項１１】
前記装置は、ネットワークノード、又はネットワークノードのためのモジュールであり、
前記装置は、
気圧及び温度の測定、又は気圧情報及び温度情報の報告を、前記端末装置に要求する通知部、
をさらに備える、請求項１に記載の装置。
【請求項１２】
前記通知部は、前記端末装置に関連する緊急通信が行われる場合に、前記測定又は前記報告を前記端末装置に要求する、請求項１１に記載の装置。
【請求項１３】
プロセッサにより、
端末装置により測定された気圧を示す気圧情報、前記端末装置により測定された温度を示す温度情報、及び、前記端末装置により測定される気圧の温度への依存性を示す依存性情報を取得することと、
前記気圧情報、前記温度情報、及び前記依存性情報に基づいて、補正された気圧を算出することと、
を含む方法。
【請求項１４】
端末装置により測定された気圧を示す気圧情報、及び、端末装置により測定された温度を示す温度情報を取得する取得部と、
前記気圧情報、前記温度情報、及び、前記端末装置により測定される気圧の温度への依存性を示す依存性情報に基づいて、補正された気圧を算出するネットワークに、前記気圧情報及び前記温度情報を報告する報告部と、
を備える装置。
【請求項１５】
前記報告部は、気温情報及び温度情報を報告する条件に関する報告条件情報であって、前記ネットワークが前記端末装置に通知する前記報告条件情報に基づいて、前記ネットワークに前記気圧情報及び前記温度情報を報告する、請求項１４に記載の装置。
【請求項１６】
気圧及び温度を測定する条件に関する測定条件情報であって、前記ネットワークが前記端末装置に通知する前記測定条件情報に基づいて、前記端末装置による気圧及び温度の測定を制御する測定制御部、をさらに備える、請求項１４に記載の装置。
【請求項１７】
前記報告部は、前記ネットワークからの要求に応じて、前記ネットワークに前記気圧情報及び前記温度情報を報告する、請求項１４に記載の装置。
【請求項１８】
前記報告部は、緊急通信が行われる場合に、前記ネットワークに前記気圧情報及び前記温度情報を報告する、請求項１４に記載の装置。
【請求項１９】
前記報告部は、緊急通信が行われる場合に、前記気圧情報及び前記温度情報に加えて、前記端末装置の位置を示す位置情報を前記ネットワークに報告する、請求項１８に記載の装置。
【請求項２０】
プロセッサにより、
端末装置により測定された気圧を示す気圧情報、及び、端末装置により測定された温度を示す温度情報を取得することと、
前記気圧情報、前記温度情報、及び、前記端末装置により測定される気圧の温度への依存性を示す依存性情報に基づいて、補正された気圧を算出するネットワークに、前記気圧情報及び前記温度情報を報告することと、
を含む方法。
【発明の詳細な説明】
【技術分野】
【０００１】
本開示は、装置及び方法に関する。
【背景技術】
【０００２】
エディンバラ（Edinburgh）でのＲＡＮ（Radio  Access  Network）  Ｐｌｅｎａｒｙにおいて、３ＧＰＰ（third  Generation  Partnership  Project）リリース１３のＲＡＮ１の検討事項（study  item）として、ＵＴＲＡ（UMTS（Universal  Mobile  Telecommunications  System）  Terrestrial  Radio  Access）及びＬＴＥ（Long  Term  Evolution）のための屋内測位強化の検討（study  on  Indoor  Positioning  Enhancements  for  UTRA  and  LTE）を開始することが決定された。
【０００３】
この検討事項の中の重要事項のひとつとして、緊急時の人命救助（例えば、災害時の人命救助）のために人（例えば、救護を必要とする人）の位置を特定するための技術が挙げられる。例えば、ビル火災における人命救助において、ビル内にいる人の正確な位置（例えば、人がいるフロア）を特定することは極めて重要である。一般的に、ＧＰＳ（Global  Positioning  System）受信機が、測位手段として最もよく使用されるが、屋内にあるＧＰＳ受信機にはＧＰＳ信号が届きにくい。そのため、屋内では、ＧＰＳ受信機を使用して精度の高い測位を行うこが難しい。さらに、ＧＰＳ受信機による高さ方向の測位（即ち、高度の測定）の精度は、必ずしも高くない。よって、ＧＰＳ受信機は、高層ビルに位置する端末装置の測位には向いていない。このような背景の下で、屋内測位強化の検討が行われることになった。
【０００４】
近年、半導体技術の進歩に応じて、極めて小型のワンチップ気圧センサが実用化されている。そのため、今後、気圧センサを搭載する端末装置（例えば、スマートフォンなど）が増加し、気圧センサによる測位の結果を利用するサービスが出現すると考えられる。
【０００５】
例えば、特許文献１には、端末装置において、気圧を測定し、当該気圧に基づいて高度を導出し、当該高度をネットワークノードに報告することが、記載されている。また、特許文献１には、気圧の測定についてキャリブレーションが行われることが記載されている。さらに、特許文献１には、上記高度に基づいて、高度情報のマップを含む地理的領域定義を決定することが、記載されている。
【先行技術文献】
【特許文献】
【０００６】
【特許文献１】特表２０１０−５１２１０３号公報
【発明の概要】
【発明が解決しようとする課題】
【０００７】
気圧センサ（とりわけ、端末装置に適した小型の気圧センサ）により測定される気圧は、周囲の温度に応じて変動し得る。そのため、例えば、端末装置内の温度の変動に応じて、当該端末装置の気圧センサにより測定される気圧は変動し得る。一例として、端末装置の高度が変わっていなくても、当該端末装置内の熱源（例えば、プロセッサ）の状況に応じて、当該端末装置内の温度が変動し得る。その結果、当該端末装置の気圧センサにより測定される気圧は変動し得る。別の例として、室内の温度と室外の温度との差が大きい場合には、端末装置の高度が変わっていなくても、当該端末装置が室内に位置するか室外に位置するかに応じて、当該端末装置内の温度が変動し得る。その結果、当該端末装置の気圧センサにより測定される気圧は変動し得る。このように、端末装置により測定される気圧に誤差が生じ得る。
【０００８】
そこで、端末装置の高度をより高い精度で推定することを可能にする仕組みが提供されることが望ましい。
【課題を解決するための手段】
【０００９】
本開示によれば、端末装置により測定された気圧を示す気圧情報、上記端末装置により測定された温度を示す温度情報、及び、上記端末装置により測定される気圧の温度への依存性を示す依存性情報を取得する取得部と、上記気圧情報、上記温度情報、及び上記依存性情報に基づいて、補正された気圧を算出する補正部と、を備える装置が提供される。
【００１０】
また、本開示によれば、プロセッサにより、端末装置により測定された気圧を示す気圧情報、上記端末装置により測定された温度を示す温度情報、及び、上記端末装置により測定される気圧の温度への依存性を示す依存性情報を取得することと、上記気圧情報、上記温度情報、及び上記依存性情報に基づいて、補正された気圧を算出することと、
を含む方法が提供される。
【００１１】
また、本開示によれば、端末装置により測定された気圧を示す気圧情報、及び、端末装置により測定された温度を示す温度情報を取得する取得部と、上記気圧情報、上記温度情報、及び、上記端末装置により測定される気圧の温度への依存性を示す依存性情報に基づいて、補正された気圧を算出するネットワークに、上記気圧情報及び上記温度情報を報告する報告部と、を備える装置が提供される。
【００１２】
また、本開示によれば、プロセッサにより、端末装置により測定された気圧を示す気圧情報、及び、端末装置により測定された温度を示す温度情報を取得することと、上記気圧情報、上記温度情報、及び、上記端末装置により測定される気圧の温度への依存性を示す依存性情報に基づいて、補正された気圧を算出するネットワークに、上記気圧情報及び上記温度情報を報告することと、を含む方法が提供される。
【発明の効果】
【００１３】
以上説明したように本開示によれば、端末装置の高度をより高い精度で推定することが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１４】
【図１】測定される気圧と温度との関係を説明するための説明図である。
【図２】本開示の実施形態に係るシステムの概略的な構成の一例を示す説明図である。
【図３】第１の実施形態に係るネットワークノードの構成の一例を示すブロック図である。
【図４】第１の実施形態に係る端末装置の構成の一例を示すブロック図である。
【図５】第１の実施形態における依存性情報の取得に係る処理の概略的な流れの第１の例を示すシーケンス図である。
【図６】第１の実施形態における依存性情報の取得に係る処理の概略的な流れの第２の例を示すシーケンス図である。
【図７】第１の実施形態における依存性情報の取得に係る処理の概略的な流れの第３の例を示すシーケンス図である。
【図８】第１の実施形態における高度の推定に係る処理の概略的な流れの一例を示すシーケンス図である。
【図９】第１の実施形態における緊急通信時の高度の推定に係る処理の概略的な流れの第１の例を示すシーケンス図である。
【図１０】第１の実施形態における緊急通信時の高度の推定に係る処理の概略的な流れの第２の例を示すシーケンス図である。
【図１１】第２の実施形態に係る基地局の構成の一例を示すブロック図である。
【図１２】第３の実施形態に係る端末装置の構成の一例を示すブロック図である。
【図１３】第３の実施形態における依存性情報の生成に係る処理の概略的な流れの一例を示すフローチャートである。
【図１４】第３の実施形態における高度の推定に係る処理の概略的な流れの一例を示すフローチャートである。
【図１５】第３の実施形態における緊急通信時の高度の推定に係る処理の概略的な流れの第１の例を示すシーケンス図である。
【図１６】第３の実施形態における緊急通信時の高度の推定に係る処理の概略的な流れの第２の例を示すシーケンス図である。
【図１７】第４の実施形態に係る端末装置の構成の一例を示すブロック図である。
【図１８】第４の実施形態における高度の推定に係る処理の概略的な流れの一例を示すシーケンス図である。
【図１９】第４の実施形態における緊急通信時の高度の推定に係る処理の概略的な流れの第１の例を示すシーケンス図である。
【図２０】第４の実施形態における緊急通信時の高度の推定に係る処理の概略的な流れの第２の例を示すシーケンス図である。
【図２１】サーバの概略的な構成の一例を示すブロック図である。
【図２２】ｅＮＢの概略的な構成の第１の例を示すブロック図である。
【図２３】ｅＮＢの概略的な構成の第２の例を示すブロック図である。
【図２４】スマートフォンの概略的な構成の一例を示すブロック図である。
【図２５】カーナビゲーション装置の概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
２．システムの概略的な構成
３．本開示の実施形態に係る特徴と各実施形態の位置付け
４．第１の実施形態
４．１．ネットワークノードの構成
４．２．端末装置の構成
４．３．技術的特徴
４．４．処理の流れ
５．第２の実施形態
５．１．基地局の構成
５．２．端末装置の構成
５．３．技術的特徴
５．４．処理の流れ
６．第３の実施形態
６．１．端末装置の構成
６．２．技術的特徴
６．３．処理の流れ
７．第４の実施形態
７．１．端末装置の構成
７．２．技術的特徴
７．３．処理の流れ
８．応用例
８．１．ネットワークノードに関する応用例
８．２．基地局に関する応用例
８．３．端末装置に関する応用例
９．まとめ
【００１７】
＜＜１．はじめに＞＞
まず、図１を参照して、気圧センサを用いた高度の測定、及び測定される気圧の温度への依存性を説明する。
【００１８】
（１）気圧センサを用いた高度の測定
（ａ）高い精度の気圧の必要性
近年、半導体技術の進歩に応じて、極めて小型のワンチップ気圧センサが実用化されている。そのため、今後、気圧センサを搭載する端末装置（例えば、スマートフォンなど）が増加し、気圧センサによる測位の結果を利用するサービスが出現すると考えられる。
【００１９】
一般に、気圧と地上高との間には単調増加の関係があるので、周囲の気圧を測定することにより（例えば海面からの）高度を推定することができる。典型的な小型の気圧センサは、圧電素子と、極めて高い分解能のＡ／Ｄ変換器とを含み、極めて高い測定分解能を有する。例えば、このような気圧センサの測定分解能は、高度換算で１０センチ程度に達する。
【００２０】
気圧センサを用いた高度の測定では、測定時の天候（例えば、大気圧の変化）及び室内環境（例えば、室温）などの影響により測定誤差が生じる。例えば、台風の接近時には、周囲の気圧は大きく低下する。例えば、測定点での気圧が２０〜３０ヘクトパスカルだけ低下すると、気圧情報に基づいて測定される高度は２００メートル以上低下し得る。
【００２１】
より高い精度で高度を測定するために、より高い精度の気圧を得ることが望ましい。例えば、ビル火災における人命救助において、ビル内にいる人のより正確な位置（例えば、人がいるフロア）を特定するためには、より高い精度で高度を測定することが望ましく、さらにそのためには、より高い精度の気圧を得ることが望ましい。
【００２２】
（ｂ）高度の測定手法
理想気体の状態方程式から、気圧と高度との関係のモデル式が導かれる。具体的には、当該モデル式は、ある地点での高度ｈ（ｍ）、気圧Ｐ（ｈＰａ）及び温度Ｔ（Ｋ）、並びに高度が０である地点での気圧Ｐ０（ｈＰａ）を用いて、以下のように表される。
【００２３】
【数１】
2016109637.tif 000003
【００２４】
当該モデル式により、ある地点での気圧Ｐ（ｈＰａ）及び温度Ｔ（Ｋ）と、高度が０である地点での気圧Ｐ０（ｈＰａ）とに基づいて、当該ある地点での高度ｈ（ｍ）を算出することができる。
【００２５】
（２）測定される気圧の温度への依存性
気圧センサ（とりわけ、端末装置に適した小型の気圧センサ）により測定される気圧は、周囲の温度に応じて変動し得る。そのため、例えば、端末装置内の温度の変動に応じて、端末装置の気圧センサにより測定される気圧は変動し得る。その結果、当該気圧に基づいて推定される高度も変動し得る。以下、この点について、図１を参照して具体例を説明する。
【００２６】
図１は、測定される気圧と温度との関係を説明するための説明図である。図１を参照すると、温度がＴ１である場合の高度と測定される気圧との関係９１、温度がＴ２である場合の高度と測定される気圧との関係９３、及び、温度がＴ３である場合の高度と測定される気圧との関係９５が、示されている。このように、高度が下がるにつれて、気圧は上昇し、高度が上がるにつれて、気圧は低下する。例えば、高度ｈ１において、温度がＴ１からＴ２に変化すると、測定される気圧は△Ｐ１だけ増加する。その結果、測定される気圧に基づいて算出される高度は、△ｈ１だけ下がる。例えば、高度ｈ２において、温度がＴ１からＴ３に変化すると、測定される気圧は△Ｐ２だけ増加する。その結果、測定される気圧に基づいて算出される高度は、△ｈ２だけ下がる。以上のように、温度の変動に応じて、気圧センサにより測定される気圧の誤差が生じ、その結果、当該気圧に基づいて推定される高度も誤差も生じる。
【００２７】
＜＜２．システムの概略的な構成＞＞
続いて、図２を参照して、本開示の実施形態に係るシステム１の概略的な構成を説明する。図２は、本開示の実施形態に係るシステム１の概略的な構成の一例を示す説明図である。図２を参照すると、システム１は、ネットワークノード１００、基地局２００及び端末装置３００を含む。
【００２８】
（ネットワークノード１００）
ネットワークノード１００は、ネットワークに含まれるノードである。例えば、当該ネットワークは、移動体通信システム（例えば、セルラーシステム）のネットワークである。より具体的には、ネットワークノード１００は、コアネットワークに含まれるコアネットワークノードであってもよく、無線アクセスネットワーク（Radio  Access  Network：ＲＡＮ）に含まれる、基地局以外のノードであってもよい。
【００２９】
例えば、ネットワークノード１００は、基地局２００と通信する。さらに、例えば、ネットワークノード１００は、基地局２００を介して、端末装置３００と通信する。
【００３０】
（基地局２００）
基地局２００は、上記ネットワークに含まれるノードである。上述したように、例えば、上記ネットワークは、移動体通信システム（例えば、セルラーシステム）のネットワークである。
【００３１】
例えば、基地局２００は、端末装置（例えば、端末装置３００）との無線通信を行う。具体的には、例えば、基地局２００は、基地局２００のカバレッジエリア２０内に位置する端末装置との無線通信を行う。
【００３２】
（端末装置３００）
端末装置３００は、上記無線通信システムのネットワークに接続可能な装置である。
【００３３】
例えば、端末装置３００は、基地局（例えば、基地局２００）との無線通信を行う。具体的には、例えば、端末装置３００は、基地局のカバレッジエリア内に位置する場合に、当該基地局との無線通信を行う。
【００３４】
図２に示されるように、端末装置３００は、高層ビルディング３０に位置し得る。
【００３５】
＜＜３．本開示の実施形態に係る特徴と各実施形態の位置付け＞＞
続いて、本開示の実施形態に係る特徴と、各実施形態の位置付けとを説明する。
【００３６】
（１）本開示の実施形態に係る特徴
本開示の実施形態では、システム１において、端末装置３００により測定された気圧を示す気圧情報、端末装置３００により測定された温度を示す温度情報、及び、端末装置３００により測定される気圧の温度への依存性を示す依存性情報に基づいて、補正された気圧（以下、「補正気圧」と呼ぶ）が算出される。これにより、例えば、端末装置３００の高度をより高い精度で推定することが可能になる。
【００３７】
さらに、例えば、上記補正気圧を示す補正気圧情報に基づいて、端末装置３００の高度が推定される。
【００３８】
（２）各実施形態の位置付け
各実施形態において、上記補正気圧を算出する主体と、端末装置３００の上記高度を算出する主体とは、以下のとおりである。
【００３９】
【表１】
2016109637.tif 000004
【００４０】
なお、第４の実施形態では、ネットワークノード１００が上記高度を推定してもよく、又は基地局２００が上記高度を推定してもよい。
【００４１】
＜＜４．第１の実施形態＞＞
続いて、図３〜図１０を参照して、本開示の第１の実施形態を説明する。
【００４２】
＜４．１．ネットワークノードの構成＞
まず、図３を参照して、第１の実施形態に係るネットワークノード１００の構成の一例を説明する。図３は、第１の実施形態に係るネットワークノード１００の構成の一例を示すブロック図である。図３を参照すると、ネットワークノード１００は、通信部１１０、記憶部１２０及び処理部１３０を備える。
【００４３】
（通信部１１０）
通信部１１０は、情報を送受信する。例えば、通信部１１０は、他のノードへの情報を送信し、他のノードからの情報を受信する。例えば、上記他のノードは、基地局２００を含む。
【００４４】
（記憶部１２０）
記憶部１２０は、ネットワークノード１００の動作のためのプログラム及びデータを一時的に又は恒久的に記憶する。
【００４５】
（処理部１３０）
処理部１３０は、ネットワークノード１００の様々な機能を提供する。処理部１３０は、通知部１３１、情報取得部１３３、気圧補正部１３５及び高度推定部１３７を含む。なお、処理部１３０は、これらの構成要素以外の他の構成要素をさらに含み得る。即ち、処理部１３０は、これらの構成要素の動作以外の動作も行い得る。
【００４６】
通知部１３１、情報取得部１３３、気圧補正部１３５及び高度推定部１３７の動作は、後に説明する。
【００４７】
＜４．２．端末装置の構成＞
次に、図４を参照して、第１の実施形態に係る端末装置３００の構成の一例を説明する。図４は、第１の実施形態に係る端末装置３００の構成の一例を示すブロック図である。図４を参照すると、端末装置３００は、アンテナ部３１０、無線通信部３２０、記憶部３３０、気圧測定部３４０、温度測定部３５０、位置測定部３６０及び処理部３７０を備える。
【００４８】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【００４９】
（無線通信部３２０）
無線通信部３２０は、信号を送受信する。例えば、無線通信部３２０は、基地局（例えば、基地局２００）からのダウンリンク信号を受信し、基地局（例えば、基地局２００）へのアップリンク信号を送信する。
【００５０】
（記憶部３３０）
記憶部３３０は、端末装置３００の動作のためのプログラム及びデータを一時的に又は恒久的に記憶する。
【００５１】
（気圧測定部３４０）
気圧測定部３４０は、気圧を測定する。
【００５２】
（温度測定部３５０）
温度測定部３５０は、温度を測定する。
【００５３】
（位置測定部３６０）
位置測定部３６０は、端末装置３００の位置を測定する。当該位置は、水平方向の位置を含む。当該位置は、高さ方向の位置（即ち、高度）をさらに含んでもよい。
【００５４】
（処理部３７０）
処理部３７０は、端末装置３００の様々な機能を提供する。処理部３７０は、測定制御部３７１、情報取得部３７３及び報告部３７５を含む。なお、処理部３７０は、これらの構成要素以外の他の構成要素をさらに含み得る。即ち、処理部３７０は、これらの構成要素の動作以外の動作も行い得る。
【００５５】
測定制御部３７１、情報取得部３７３及び報告部３７５の動作は、後に説明する。
【００５６】
＜４．３．技術的特徴＞
次に、第１の実施形態に係る技術的特徴を説明する。
【００５７】
第１の実施形態では、ネットワークノード１００（情報取得部１３３）は、端末装置３００により測定された気圧を示す気圧情報、端末装置３００により測定された温度を示す温度情報、及び、端末装置３００により測定される気圧の温度への依存性を示す依存性情報を取得する。そして、ネットワークノード１００（気圧補正部１３５）は、上記気圧情報、上記温度情報、及び上記依存性情報に基づいて、補正気圧を算出する。さらに、例えば、ネットワークノード１００（高度推定部１３７）は、上記補正気圧を示す補正気圧情報に基づいて、端末装置３００の高度を推定する。
【００５８】
第１の実施形態では、端末装置３００（情報取得部３７３）は、上記気圧情報及び上記温度情報を取得する。そして、端末装置３００（報告部３７５）は、ネットワークに上記気圧情報及び上記温度情報を報告する。当該ネットワークは、ネットワークノード１００を含む。即ち、上記ネットワークは、上記気圧情報、上記温度情報、及び上記依存性情報に基づいて、補正気圧を算出するネットワークである。上記ネットワークは、上記気圧情報、上記温度情報及び上記依存性情報に基づいて端末装置３００の高度を推定するネットワークとも言える。
【００５９】
（１）気圧情報及び温度情報
（ａ）測定
端末装置３００（気圧測定部３４０）は、気圧を測定する。また、端末装置３００（温度測定部３５０）は、温度を測定する。そして、端末装置３００は、上記気圧を示す気圧情報、及び上記温度を示す温度情報を生成する。
【００６０】
（ａ−１）測定のタイミング
例えば、端末装置３００は、同じタイミングで気圧及び温度の両方を測定する。この場合に、例えば、端末装置３００の測定制御部３７１は、同じタイミングで気圧及び温度が測定されるように、気圧及び温度の測定を制御する。即ち、測定制御部３７１は、気圧測定部３４０及び温度測定部３５０に、同じタイミングで気圧及び温度を測定させる。
【００６１】
あるいは、端末装置３００は、所定時間内に気圧及び温度の両方を測定してもよい。この場合に、端末装置３００の測定制御部３７１は、所定時間内に気圧及び温度が測定されるように、気圧及び温度の測定を制御してもよい。即ち、測定制御部３７１は、気圧測定部３４０及び温度測定部３５０に、所定時間内に気圧及び温度を測定させてもよい。
【００６２】
（ａ−２）気圧及び温度を測定する条件
−測定条件情報の通知
例えば、ネットワークノード１００（通知部１３１）は、気圧及び温度を測定する条件（以下、「測定条件」と呼ぶ）に関する測定条件情報を端末装置３００に通知する。
【００６３】
より具体的には、例えば、ネットワークノード１００は、上記測定条件情報を基地局２００へ送信し、基地局２００は、上記測定条件情報を端末装置３００へ送信する。一例として、基地局２００は、上記測定条件情報を含むシステム情報を送信する。即ち、上記測定条件情報は、システム情報の中で端末装置３００に通知される情報である。別の例として、基地局２００は、上記測定条件情報を含むシグナリングメッセージを端末装置３００へ送信してもよい。即ち、上記測定条件情報は、端末装置３００へのシグナリングメッセージの中で端末装置３００に通知さる情報であってもよい。
【００６４】
−測定条件情報に基づく測定
例えば、端末装置３００（測定制御部３７１）は、ネットワーク（具体的には、ネットワークノード１００）が端末装置３００に通知する上記測定条件情報に基づいて、端末装置３００による気圧及び温度の測定を制御する。より具体的には、例えば、端末装置３００の測定制御部３７１は、上記測定条件が満たされる場合に、気圧測定部３４０及び温度測定部３５０に気圧及び温度を測定させる。
【００６５】
−測定条件
−−位置条件
第１の例として、上記測定条件は、端末装置の位置に関する位置条件が満たされることを含む。当該位置条件は、上記測定条件の十分条件であってもよく、上記測定条件の必要条件であってもよい。
【００６６】
例えば、上記位置条件は、端末装置３００が所定位置に又は所定領域内に位置することである。即ち、上記測定条件は、端末装置３００が当該所定位置に又は当該所定領域内に位置することを含む。この場合に、例えば、上記測定条件情報は、上記所定位置又は上記所定領域を示す情報を含む。
【００６７】
−−時間条件
第２の例として、上記測定条件は、時間に関する時間条件が満たされることを含む。当該時間条件は、上記測定条件の十分条件であってもよく、上記測定条件の必要条件であってもよい。
【００６８】
例えば、上記時間条件は、周期的なタイミングが到来することである。即ち、上記測定条件は、周期的なタイミングが到来することを含む。この場合に、例えば、上記測定条件情報は、測定の周期を示す情報を含む。
【００６９】
上記時間条件は、所定のシステムフレーム番号を有するシステムフレームが到来することであってもよい。即ち、上記測定条件は、当該システムフレームが到来することを含んでもよい。この場合に、上記測定条件情報は、上記所定のシステムフレーム番号を示す情報を含んでもよい。
【００７０】
上記時間条件は、端末装置３００のモードが接続モード及びアイドルモードの一方から他方へ切り替えられてから所定時間が経過することであってもよい。即ち、上記測定条件は、上記モードが接続モード及びアイドルモードの一方から他方へ切り替えられてから上記所定時間が経過することであってもよい。この場合に、上記測定条件情報は、上記所定時間を示す情報を含んでもよい。
【００７１】
上記時間条件は、ネットワークからの要求から所定時間が経過することであってもよい。即ち、上記測定条件は、上記要求から上記所定時間が経過することであってもよい。この場合に、上記測定条件情報は、上記所定時間を示す情報を含んでもよい。
【００７２】
−−信号条件
第３の例として、上記測定条件は、端末装置３００における受信信号に関する信号条件が満たされることを含む。当該信号条件は、上記測定条件の十分条件であってもよく、上記測定条件の必要条件であってもよい。
【００７３】
例えば、上記信号条件は、端末装置３００における受信電力のレベルが所定レベルを超えることである。即ち、上記測定条件は、端末装置３００における受信電力のレベルが所定レベルを超えることを含む。この場合に、例えば、上記測定条件情報は、上記所定レベルを示す情報を含む。
【００７４】
上記信号条件は、端末装置３００における受信電力のレベルが所定範囲内のレベルであることであってもよい。即ち、上記測定条件は、端末装置３００における受信電力のレベルが所定範囲内のレベルであることを含んでもよい。この場合に、例えば、上記測定条件情報は、上記所定範囲を示す情報を含む。
【００７５】
（ａ−３）要求に応じた測定
例えば、ネットワークノード１００（通知部１３１）は、気圧及び温度の測定を端末装置３００に要求する。
【００７６】
例えば、端末装置３００（気圧測定部３４０及び温度測定部３５０）は、上記ネットワークからの要求に応じて、気圧及び温度を測定する。例えば、端末装置３００の測定制御部３７１は、上記要求に応じて、気圧測定部３４０及び温度測定部３５０に気圧及び温度を測定させる。
【００７７】
（ａ−４）自主的な測定
端末装置３００（気圧測定部３４０及び温度測定部３５０）は、自主的に、気圧及び温度を測定してもよい。一例として、端末装置３００は、所定の周期で、気圧及び温度を測定してもよい。
【００７８】
（ｂ）報告
上述したように、端末装置３００（報告部３７５）は、上記ネットワークに上記気圧情報及び上記温度情報を報告する。
【００７９】
（ｂ−１）条件に基づく報告
−報告条件情報の通知
例えば、ネットワークノード１００（通知部１３１）は、気圧情報及び温度情報を報告する条件（以下、「報告条件」と呼ぶ）に関する報告条件情報を、端末装置３００に通知する。
【００８０】
より具体的には、例えば、ネットワークノード１００は、上記報告条件情報を基地局２００へ送信し、基地局２００は、上記報告条件情報を端末装置３００へ送信する。一例として、基地局２００は、上記報告条件情報を含むシステム情報を送信する。即ち、上記報告条件情報は、システム情報の中で端末装置３００に通知される情報である。別の例として、基地局２００は、上記報告条件情報を含むシグナリングメッセージを端末装置３００へ送信してもよい。即ち、上記報告条件情報は、端末装置３００へのシグナリングメッセージの中で端末装置３００に通知さる情報であってもよい。
【００８１】
−報告条件情報に基づく報告
例えば、端末装置３００（報告部３７５）は、上記ネットワークが端末装置３００に通知する上記報告条件情報に基づいて、上記ネットワークに上記気圧情報及び上記温度情報を報告する。より具体的には、例えば、端末装置３００の報告部３７５は、上記報告条件が満たされる場合に、上記ネットワークに上記気圧情報及び上記温度情報を報告する。
【００８２】
−報告条件
−−位置条件、時間条件、及び信号条件
第１の例として、上記報告条件は、端末装置の位置に関する位置条件が満たされることを含む。
【００８３】
第２の例として、上記報告条件は、時間に関する時間条件が満たされることを含む。
【００８４】
第３の例として、上記報告条件は、端末装置３００における受信信号に関する信号条件が満たされることを含む。
【００８５】
上記位置条件、上記時間条件及び上記信号条件についての説明は、上記報告条件と上記測定条件との間に特段の差異はない。よって、ここでは重複する記載を省略する。
【００８６】
−−測定結果条件
第４の例として、上記報告条件は、測定される気圧又は温度に関する測定結果条件が満たされることを含む。当該測定結果条件は、上記報告条件の十分条件であってもよく、上記測定条件の必要条件であってもよい。
【００８７】
例えば、上記測定結果条件は、測定される気圧又は温度の変化が所定の程度を超えること（例えば、当該変化の量が所定の閾値を超えること）である。即ち、上記報告条件は、測定される気圧又は温度の変化が所定の程度を超えることを含む。この場合に、例えば、上記測定結果情報は、上記所定の程度を示す情報を含む。
【００８８】
上記測定結果条件は、端末装置により測定される気圧及び温度のセットの数が所定数を超えることであってもよい。即ち、上記報告条件は、上記セットの数が上記所定数を超えることを含んでもよい。この場合に、例えば、上記測定結果情報は、上記所定数を示す情報を含む。
【００８９】
−−その他
第５の例として、上記報告条件は、端末装置が同じ位置に又は同じ領域内に所定時間以上位置することを含む。この場合に、例えば、上記測定結果情報は、上記所定時間を示す情報を含む。
【００９０】
第６の例として、上記報告条件は、新たな位置又は領域で気圧及び温度の測定が行われることを含む。
【００９１】
第７の例として、上記報告条件は、端末装置のモードが接続モード及びアイドルモードの一方から他方へ切り替えられることを含む。
【００９２】
第８の例として、上記報告条件は、端末装置のハンドオーバが行われることを含む。
【００９３】
第９の例として、上記報告条件は、端末装置が緊急通信を行うことを含む。
【００９４】
（ｂ−２）要求に応じた報告
例えば、ネットワークノード１００（通知部１３１）は、気圧情報及び温度情報の報告を端末装置３００に要求する。
【００９５】
例えば、端末装置３００（報告部３７５）は、上記ネットワークからの要求に応じて、上記ネットワークに上記気圧情報及び上記温度情報を報告する。
【００９６】
（ｂ−３）報告される気圧情報及び温度情報
上記気圧情報及び上記温度情報のセットは、気圧情報及び温度情報の複数のセットの中から選択されたセットであってもよい。一例として、値が同一の又は類似する２つ以上のセットがある場合に、当該２つ以上のセットのうちの１つが選択されてもよい。これにより、報告に関するオーバーヘッドがより小さくなり得る。
【００９７】
（２）依存性情報
（ａ）依存性情報の例
例えば、上記依存性情報は、測定される気圧が温度の変動に応じてどの程度変動するかを示す温度係数である。一例として、当該温度係数は、１ケルビンの増加に応じて増加する気圧（ｈＰａ／Ｋ）を示す。
【００９８】
なお、上記温度係数は、上記依存性情報の一例であり、上記依存性情報は、他の情報であってもよい。例えば、上記依存性情報は、測定される気圧と温度との関係を示す式における係数のセットであってもよい。
【００９９】
（ｂ）取得手法
（ｂ−１）生成
例えば、上記依存性情報は、端末装置３００により測定された気圧を示す気圧情報と、端末装置３００により測定された温度を示す温度情報とに基づいて生成された情報である。より具体的には、例えば、上記依存性情報は、当該気圧情報及び当該温度情報の複数のセットに基づいて生成される情報である。
【０１００】
−温度係数の生成の例
上述したように、一例として、上記依存性情報は、上記温度係数である。この場合に、例えば、端末装置３００により測定された気圧ＰＴと端末装置３００により測定された温度ＴＴとの２つのセット（ＰＴ１，ＴＴ１）、（ＰＴ２，ＴＴ２）に基づいて、温度係数（依存性情報）ａが以下のように生成される。
【０１０１】
【数２】
2016109637.tif 000005
【０１０２】
この温度係数ａは、１ケルビンの増加に応じて増加する気圧（ｈＰａ／Ｋ）を示す。なお、気圧ＰＴ１及び温度ＴＴ１、並びに、気圧ＰＴ２及び温度ＴＴ２は、端末装置３００が同じ高度に位置する際に測定されたものである。
【０１０３】
温度係数ａは、気圧ＰＴ及び温度ＴＴのより多くのセットを用いて生成されてもよい。例えば、平均化処理、又はより複雑な統計処理を用いて、温度係数ａが算出されてもよい。
【０１０４】
−生成の主体
例えば、端末装置３００が、上記気圧情報及び上記温度情報をネットワークに報告し、
ネットワークノード１００が、上記気圧情報及び上記温度情報に基づいて、上記依存性情報を生成する。
【０１０５】
あるいは、端末装置３００が、上記気圧情報及び上記温度情報に基づいて上記依存性情報を生成し、上記依存性情報をネットワークに報告してもよい。
【０１０６】
（ｂ−２）記憶
上記依存性情報は、端末装置３００において記憶されている情報であってもよい。この場合に、端末装置３００は、上記依存性情報を上記ネットワークに報告してもよい。そして、ネットワークノード１００は、上記依存性情報を取得してもよい。
【０１０７】
（３）補正気圧の算出
上述したように、ネットワークノード１００（気圧補正部１３５）は、上記気圧情報、上記温度情報及び上記依存性情報に基づいて、補正気圧を算出する。
【０１０８】
（ａ）基準温度情報
例えば、ネットワークノード１００（気圧補正部１３５）は、上記気圧情報、上記温度情報、上記依存性情報、及び、端末装置３００が位置するエリア内の位置で測定された温度（以下、「基準温度）と呼ぶ）を示す他の温度情報（以下、「基準温度情報」と呼ぶ）に基づいて、補正気圧を算出する。
【０１０９】
例えば、上記エリアは、基地局２００のカバレッジエリア２０であり、上記位置は、カバレッジエリア２０内の位置である。例えば、上記位置は、室外であり、上記基準温度は、室外で測定された温度である。一例として、上記位置は、基地局２００の付近の位置である。上記位置に、温度センサが設置され、当該温度センサが、上記基準温度を測定する。
【０１１０】
このような基準温度の利用により、例えば、端末装置３００により測定された温度がどの程度変動しているかを知ることが可能になる。
【０１１１】
（ｂ）算出の例
一例として、ネットワークノード１００（気圧補正部１３５）は、端末装置３００により測定された気圧ＰＴ、端末装置３００により測定された温度ＴＴ、基準温度ＴＢ及び温度係数ａに基づいて、以下のように補正気圧ＰＣを算出する。
【０１１２】
【数３】
2016109637.tif 000006
【０１１３】
例えば以上のように、補正気圧が算出される。これにより、例えば、端末装置３００の高度をより高い精度で推定することが可能になる。より具体的には、例えば、端末装置３００内の温度に起因して、端末装置３００により測定される気圧に誤差が生じている場合でも、より誤差の小さい気圧（補正気圧）が得られる。そのため、より誤差の小さい気圧に基づいて、より高い精度で端末装置３００の高度が推定され得る。
【０１１４】
（４）高度の推定
上述したように、例えば、ネットワークノード１００（高度推定部１３７）は、上記補正気圧を示す補正気圧情報に基づいて、端末装置３００の高度を推定する。
【０１１５】
（ａ）基準温度情報
例えば、ネットワークノード１００（高度推定部１３７）は、上記補正気圧情報、及び、端末装置３００が位置するエリア内の位置で測定された温度（即ち、基準温度）を示す他の温度情報（即ち、基準温度情報）に基づいて、上記高度を推定する。
【０１１６】
上記エリア、上記位置及び上記基準温度についての説明は、上記補正気圧の算出に関連して上述したとおりである。
【０１１７】
（ｂ）算出の例
一例として、ネットワークノード１００（高度推定部１３７）は、上述した気圧と高度との関係のモデル式を用いて、補正気圧ＰＣ及び基準温度ＴＢに基づいて、以下のように端末装置３００の高度ｈＴを推定する。
【０１１８】
【数４】
2016109637.tif 000007
【０１１９】
−気圧Ｐ０
気圧Ｐ０は、端末装置３００が位置するエリア内の位置で測定された基準温度ＴＢ、当該位置で測定された基準気圧ＰＢ、及び当該位置の基準高度ｈＢと、以下のような関係を有する。
【０１２０】
【数５】
2016109637.tif 000008
【０１２１】
例えば、ネットワークノード１００は、基準温度ＴＢ、基準気圧ＰＢ及び基準高度ｈＢに基づいて、気圧Ｐ０を算出する。
【０１２２】
−気圧Ｐ０の置換え
基準温度ＴＢ、基準気圧ＰＢ及び基準高度ｈＢを用いて気圧Ｐ０を置き換えることにより、ネットワークノード１００（高度推定部１３７）は、以下のように、高度ｈＴを推定してもよい。
【０１２３】
【数６】
2016109637.tif 000009
【０１２４】
（５）緊急通信のケース
（ａ）要求
例えば、ネットワークノード１００（通知部１３１）は、端末装置３００に関連する緊急通信が行われる場合に、気圧及び温度の測定、並びに／又は、気圧情報及び温度情報の報告を、端末装置３００に要求する。
【０１２５】
一例として、上記緊急通信として、救護者の端末装置が、火災などの発生に応じて、救護を必要とする人の端末装置３００に関する情報を要求する。この場合に、ネットワークノード１００（通知部１３１）は、気圧及び温度の測定、並びに、気圧情報及び温度情報の報告を、端末装置３００に要求する。
【０１２６】
（ｂ）報告
例えば、端末装置３００（報告部３７５）は、緊急通信が行われる場合に、上記ネットワークに上記気圧情報（即ち、端末装置３００により測定された気圧を示す情報）及び上記温度情報（即ち、端末装置３００により測定された温度を示す情報）を報告する。
【０１２７】
一例として、上述したように、ネットワークノード１００（通知部１３１）が、気圧及び温度の測定、並びに、気圧情報及び温度情報の報告を、端末装置３００に要求する。すると、端末装置３００（気圧測定部３４０及び温度測定部３５０）は、上記ネットワーク（具体的には、ネットワークノード１００）からの要求に応じて、気圧及び温度を測定し、当該気圧を示す気圧情報、及び当該温度を示す温度情報を、上記ネットワークノードへ報告する。
【０１２８】
別の例として、上記緊急通信として、救護を必要とする人の端末装置３００が、火災などの発生に応じて、緊急発信を行う。この場合に、端末装置３００は、気圧及び温度を測定し、当該気圧を示す気圧情報、及び当該温度を示す温度情報を、上記ネットワークノードへ報告する。
【０１２９】
（ｃ）位置情報の報告
例えば、端末装置３００（報告部３７５）は、緊急通信が行われる場合に、上記気圧情報及び上記温度情報に加えて、端末装置３００の位置を示す位置情報を上記ネットワークに報告する。
【０１３０】
より具体的には、例えば、端末装置３００（位置測定部３６０）は、端末装置３００の位置を測定する。そして、端末装置３００（報告部３７５）は、当該位置を示す位置情報を上記ネットワークに報告する。
【０１３１】
（６）その他の情報
端末装置３００（報告部３７５）は、上記気圧情報及び上記温度情報に加えて、他の情報も上記ネットワークに報告してもよい。
【０１３２】
第１の例として、端末装置３００は、端末装置３００の位置を示す位置情報を報告してもよい。
【０１３３】
第２の例として、端末装置３００は、所定時間内での端末装置３００の動作の有無を示す情報を報告してもよい。例えば、当該情報は、加速度センサによる動作の検出の有無を示す情報であってもよい。
【０１３４】
第３の例として、端末装置３００は、履歴情報を報告してもよい。当該履歴情報は、端末装置３００の移動の履歴を示す移動履歴情報、端末装置３００の高度の履歴を示す高度履歴情報、端末装置３００における受信電力の履歴を示す電力履歴情報、端末装置３００により測定された気圧の履歴を示す気圧履歴情報、及び／又は端末装置３００により測定された温度の履歴を示す温度履歴情報などであってもよい。
【０１３５】
第４の例として、端末装置３００は、上述したいずれかの履歴情報に基づいて生成される統計情報を報告してもよい。
【０１３６】
（７）例外処理
（ａ）測定された温度が異常な温度であるケース
例えば、端末装置３００の温度センサの故障などに起因して、端末装置３００により異常な温度が測定される可能性がある。このような場合に、ネットワークノード１００は、例外処理を行ってもよい。
【０１３７】
第１の例として、測定される温度の異常が一時的なものである場合には、ネットワークノード１００は、異常な温度を示す温度情報を破棄し、正常な温度を示す温度情報に基づいて、補正気圧を算出してもよい。
【０１３８】
第２の例として、測定される温度の異常が一時的なものでない場合には、ネットワークノード１００は、補正気圧を算出しなくてもよい。ネットワークノード１００は、補正気圧情報ではなく、端末装置３００により測定された気圧を示す気圧情報に基づいて、端末装置３００の高度を測定してもよい。このような場合に、ネットワークノード１００は、上記高度を示す高度情報を生成し、上記高度の信頼性が低いことを示す信頼性情報を当該高度情報に付加してもよい。あるいは、ネットワークノード１００は、単一の高度ではなく高度のレンジを示す高度情報を生成してもよい。
【０１３９】
第３の例として、端末装置３００が、基地局２００の近くに位置する場合に、推定される端末装置３００の高度は、基地局２００の高度（例えば、基準高度）であってもよい。
【０１４０】
（ｂ）温度測定のケイパビリティを有しない端末装置のケース
例えば、端末装置３００以外の端末装置は、温度測定のケイパビリティを有しない可能性もある。このような場合にも、ネットワークノード１００は、例外処理を行ってもよい。
【０１４１】
第１の例として、ネットワークノード１００は、補正気圧を算出しなくてもよい。ネットワークノード１００は、補正気圧情報ではなく、上記ケイパビリティを有しない端末装置により測定された気圧を示す気圧情報に基づいて、端末装置３００の高度を測定してもよい。このような場合に、ネットワークノード１００は、上記高度を示す高度情報を生成し、上記高度の信頼性が低いことを示す信頼性情報を当該高度情報に付加してもよい。あるいは、ネットワークノード１００は、単一の高度ではなく高度のレンジを示す高度情報を生成してもよい。
【０１４２】
第２の例として、端末装置３００が、基地局２００の近くに位置する場合に、上記ケイパビリティを有しない端末装置の推定される高度は、基地局２００の高度（例えば、基準高度）であってもよい。
【０１４３】
（ｃ）端末装置のユーザによる入力
端末装置３００は、ユーザに入力を促す画面を表示してもよい。一例として、端末装置３００は、建物の階数をユーザに入力させるための画面を表示してもよい。そして、端末装置３００は、上記階数を示す情報をネットワークに報告してもよい。これにより、例えば、端末装置３００のユーザがどの階にいるかを特定することが可能になる。
【０１４４】
＜４．４．処理の流れ＞
次に、図５〜図１０を参照して、第１の実施形態に係る処理の流れを説明する。
【０１４５】
（１）依存性情報の取得に係る処理
（ａ）第１の例：ネットワークにおける生成
図５は、第１の実施形態における依存性情報の取得に係る処理の概略的な流れの第１の例を示すシーケンス図である。当該第１の例では、依存性情報がネットワークにおいて生成される。
【０１４６】
端末装置３００は、気圧を測定し（Ｓ４０１）、温度を測定する（Ｓ４０３）。そして、端末装置３００は、上記気圧を示す気圧情報、及び上記温度を示す温度情報を、ネットワークに報告する（Ｓ４０５、Ｓ４０７）。
【０１４７】
ネットワークノード１００は、当該気圧情報及び当該温度情報を取得する。そして、ネットワークノード１００は、上記気圧情報及び上記温度情報（並びに基準温度情報）に基づいて、端末装置３００により測定される気圧の温度への依存性を示す依存性情報を生成する（Ｓ４０９）。
【０１４８】
なお、端末装置３００は、気圧及び温度を複数回測定し、気圧情報及び温度情報の複数のセットを上記ネットワークに報告してもよい。そして、ネットワークノード１００は、当該複数のセットに基づいて、上記依存性情報を生成してもよい。端末装置３００は、上記ネットワークに、上記複数のセットを一度に報告してもよく、上記複数のセットの各々を別々に報告してもよい。
【０１４９】
（ｂ）第２の例：端末装置における生成
図６は、第１の実施形態における依存性情報の取得に係る処理の概略的な流れの第２の例を示すシーケンス図である。当該第２の例では、依存性情報が端末装置３００により生成される。
【０１５０】
端末装置３００は、気圧を測定し（Ｓ４２１）、温度を測定する（Ｓ４２３）。そして、端末装置３００は、上記気圧を示す気圧情報、及び上記温度を示す温度情報に基づいて、端末装置３００により測定される気圧の温度への依存性を示す依存性情報を生成する（Ｓ４２５）。そして、端末装置３００は、上記依存性情報をネットワークに報告する（Ｓ４２７、Ｓ４２９）。
【０１５１】
そして、ネットワークノードは、上記依存性情報を取得する。
【０１５２】
なお、端末装置３００は、気圧及び温度を複数回測定し、気圧情報及び温度情報の複数のセットに基づいて、上記依存性情報を生成してもよい。
【０１５３】
（ｃ）第３の例：端末装置における記憶
図７は、第１の実施形態における依存性情報の取得に係る処理の概略的な流れの第３の例を示すシーケンス図である。当該第３の例では、依存性情報が端末装置３００において記憶されている。
【０１５４】
端末装置３００は、端末装置３００において記憶されている依存性情報（即ち、端末装置３００により測定される気圧の温度への依存性を示す情報）を取得し（Ｓ４４１）、当該依存性情報をネットワークに報告する（Ｓ４４３、Ｓ４４５）。
【０１５５】
そして、ネットワークノードは、上記依存性情報を取得する。
【０１５６】
（２）高度の推定
（ａ）基本的な処理
図８は、第１の実施形態における高度の推定に係る処理の概略的な流れの一例を示すシーケンス図である。
【０１５７】
ネットワークノード１００は、気圧及び温度を測定する条件（即ち、測定条件）に関する測定条件情報、及び、気圧情報及び温度情報を報告する条件（即ち、報告条件）に関する報告条件情報を、基地局２００を介して端末装置３００に通知する（Ｓ４６１、Ｓ４６３）。
【０１５８】
端末装置３００は、例えば上記測定条件が満たされる場合に、気圧を測定し（Ｓ４６５）、温度を測定する（Ｓ４６７）。そして、端末装置３００は、例えば上記報告条件が満たされる場合に、上記気圧を示す気圧情報と、上記温度を示す温度情報とを、ネットワークに報告する（Ｓ４６９、Ｓ４７１）。
【０１５９】
ネットワークノード１００は、上記気圧情報、上記温度情報及び依存性情報（即ち、端末装置３００により測定される気圧の温度への依存性を示す情報）（並びに基準温度情報）を取得する。そして、ネットワークノード１００は、上記気圧情報、上記温度情報及び上記依存性情報（並びに基準温度情報）に基づいて、補正気圧を算出する（Ｓ４７３）。さらに、ネットワークノード１００は、上記補正気圧を示す補正気圧情報（及び基準温度情報など）に基づいて、端末装置３００の高度を推定する（Ｓ４７５）。
【０１６０】
なお、端末装置３００は、ネットワーク（例えばネットワークノード１００）からの要求に応じて、気圧及び温度の測定、並びに／又は、気圧情報及び温度情報の報告を行ってもよい。
【０１６１】
（ｂ）緊急通信時の処理（第１の例）
図９は、第１の実施形態における緊急通信時の高度の推定に係る処理の概略的な流れの第１の例を示すシーケンス図である。当該第１の例は、端末装置３００が緊急発信を行う場合の例である。
【０１６２】
（例えば救護を必要とする人の）端末装置３００は、緊急発信を行う（Ｓ４８１、Ｓ４８３）。（例えば救護者の）端末装置４００は、当該緊急発信を受信する。
【０１６３】
端末装置３００は、気圧を測定し（Ｓ４８５）、温度を測定する（Ｓ４８７）。さらに、端末装置３００は、端末装置３００の位置も測定する（Ｓ４８９）。そして、端末装置３００は、上記気圧を示す気圧情報、上記温度を示す温度情報、及び上記位置を示す位置情報を、ネットワークに報告する（Ｓ４９１、Ｓ４９３）。
【０１６４】
ネットワークノード１００は、上記気圧情報、上記温度情報及び依存性情報（即ち、端末装置３００により測定される気圧の温度への依存性を示す情報）（並びに基準温度情報）を取得する。そして、ネットワークノード１００は、上記気圧情報、上記温度情報及び上記依存性情報（並びに基準温度情報）に基づいて、補正気圧を算出する（Ｓ４９５）。さらに、ネットワークノード１００は、上記補正気圧を示す補正気圧情報（及び基準温度情報など）に基づいて、端末装置３００の高度を推定する（Ｓ４９７）。
【０１６５】
端末装置４００は、端末装置３００に関する情報（例えば、位置情報及び高度情報など）をネットワークに要求する（Ｓ４９９、Ｓ５０１）。そして、ネットワークノード１００は、上記位置情報、及び上記高度を示す高度情報を、基地局２００を介して端末装置４００に通知する（Ｓ５０３、Ｓ５０５）。
【０１６６】
（ｃ）緊急時の処理（第２の例）
図１０は、第１の実施形態における緊急通信時の高度の推定に係る処理の概略的な流れの第２の例を示すシーケンス図である。当該第２の例は、緊急通信の中で端末装置４００が端末装置３００に関する情報を要求する場合の例である。
【０１６７】
（例えば救護者の）端末装置４００は、（例えば救護を必要とする人の）端末装置３００に関する情報（例えば、位置情報及び高度情報など）をネットワークに要求する（Ｓ５２１、Ｓ５２３）。
【０１６８】
その後、ネットワークノード１００は、気圧及び温度の測定、及び／又は気圧情報及び温度情報の報告を、基地局２００を介して端末装置３００に要求する（Ｓ５２５、Ｓ５２７）。
【０１６９】
端末装置３００は、ネットワークからの要求に応じて、気圧を測定し（Ｓ５２９）、温度を測定する（Ｓ５３１）。さらに、端末装置３００は、端末装置３００の位置も測定する（Ｓ５３３）。そして、端末装置３００は、上記気圧を示す気圧情報、上記温度を示す温度情報、及び上記位置を示す位置情報を、ネットワークに報告する（Ｓ５３５、Ｓ５３７）。
【０１７０】
ネットワークノード１００は、上記気圧情報、上記温度情報及び依存性情報（即ち、端末装置３００により測定される気圧の温度への依存性を示す情報）（並びに基準温度情報）を取得する。そして、ネットワークノード１００は、上記気圧情報、上記温度情報及び上記依存性情報（並びに基準温度情報）に基づいて、補正気圧を算出する（Ｓ５３９）。さらに、ネットワークノード１００は、上記補正気圧を示す補正気圧情報（及び基準温度情報など）に基づいて、端末装置３００の高度を推定する（Ｓ５４１）。そして、ネットワークノード１００は、上記位置情報、及び上記高度を示す高度情報を、基地局２００を介して端末装置４００に通知する（Ｓ５４３、Ｓ５４５）。
【０１７１】
以上、第１の実施形態を説明した。とりわけ第１の実施形態では、ネットワーク（具体的には、ネットワークノード１００）が、補正気圧の算出及び高度の推定を行う。そのため、例えば、端末装置３００にとっての処理の負荷の増加が抑えられ得る。また、例えば、ダウンリンクにおいて端末装置３００に通知すべき情報が限られるので、ダウンリンクのオーバーヘッドが抑えられ得る。
【０１７２】
なお、第１の実施形態に係るネットワークノード１００の上述した動作の一部を、他のノード（例えば、基地局２００など）が行ってもよい。
【０１７３】
＜＜５．第２の実施形態＞＞
続いて、図１１を参照して、本開示の第２の実施形態を説明する。
【０１７４】
＜５．１．基地局の構成＞
まず、図１１を参照して、第２の実施形態に係る基地局２００の構成の一例を説明する。図１１は、第２の実施形態に係る基地局２００の構成の一例を示すブロック図である。図１１を参照すると、基地局２００は、アンテナ部２１０、無線通信部２２０、ネットワーク通信部２３０、記憶部２４０及び処理部２５０を備える。
【０１７５】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１７６】
（無線通信部２２０）
無線通信部２２０は、信号を送受信する。例えば、無線通信部２２０は、端末装置へのダウンリンク信号を送信し、端末装置からのアップリンク信号を受信する。
【０１７７】
（ネットワーク通信部２３０）
ネットワーク通信部２３０は、情報を送受信する。例えば、ネットワーク通信部２３０は、他のノードへの情報を送信し、他のノードからの情報を受信する。例えば、上記他のノードは、コアネットワークノード及び他の基地局を含む。
【０１７８】
（記憶部２４０）
記憶部２４０は、基地局２００の動作のためのプログラム及びデータを一時的に又は恒久的に記憶する。
【０１７９】
（処理部２５０）
処理部２５０は、基地局２００の様々な機能を提供する。処理部２５０は、通知部２５１、情報取得部２５３、気圧補正部２５５及び高度推定部２５７を含む。なお、処理部２５０は、これらの構成要素以外の他の構成要素をさらに含み得る。即ち、処理部２５０は、これらの構成要素の動作以外の動作も行い得る。
【０１８０】
＜５．２．端末装置の構成＞
第２の実施形態に係る端末装置３００の構成の説明は、第１の実施形態に係る端末装置３００の構成の説明と同じである。よって、ここでは重複する記載を省略する。
【０１８１】
＜５．３．技術的特徴＞
次に、第２の実施形態に係る技術的特徴を説明する。
【０１８２】
第２の実施形態では、基地局２００（情報取得部２５３）は、端末装置３００により測定された気圧を示す気圧情報、端末装置３００により測定された温度を示す温度情報、及び、端末装置３００により測定される気圧の温度への依存性を示す依存性情報を取得する。そして、基地局２００（気圧補正部２５５）は、上記気圧情報、上記温度情報、及び上記依存性情報に基づいて、補正気圧を算出する。さらに、例えば、基地局２００（高度推定部２５７）は、上記補正気圧を示す補正気圧情報に基づいて、端末装置３００の高度を推定する。
【０１８３】
第２の実施形態では、端末装置３００（情報取得部３７３）は、上記気圧情報及び上記温度情報を取得する。そして、端末装置３００（報告部３７５）は、ネットワークに上記気圧情報及び上記温度情報を報告する。当該ネットワークは、基地局２００を含む。即ち、上記ネットワークは、上記気圧情報、上記温度情報、及び上記依存性情報に基づいて、補正気圧を算出するネットワークである。上記ネットワークは、上記気圧情報、上記温度情報及び上記依存性情報に基づいて端末装置３００の高度を推定するネットワークとも言える。
【０１８４】
なお、第２の実施形態に係る技術的特徴の説明は、動作の主体の相違（即ち、第１の実施形態に係る主体はネットワークノード１００であり、第２の実施形態に係る主体は基地局２００であること）を除き、第１の実施形態に係る技術的特徴の説明と同じである。よって、ここでは重複する記載を省略する。
【０１８５】
第２の実施形態に係る通知部２５１、情報取得部２５３、気圧補正部２５５及び高度推定部２５７は、第１の実施形態に係る通知部１３１、情報取得部１３３、気圧補正部１３５及び高度推定部１３７にそれぞれ対応する。
【０１８６】
＜５．４．処理の流れ＞
第２の実施形態に係る処理の流れの説明は、動作の主体の相違（即ち、第１の実施形態に係る主体はネットワークノード１００であり、第２の実施形態に係る主体は基地局２００であること）を除き、第１の実施形態に係る処理の流れの説明と同じである。よって、ここでは重複する記載を省略する。
【０１８７】
以上、第２の実施形態を説明した。なお、第２の実施形態に係る基地局２００の上述した動作の一部を、他のノード（例えば、ネットワークノード１００など）が行ってもよい。
【０１８８】
＜＜６．第３の実施形態＞＞
続いて、図１２〜図１６を参照して、本開示の第３の実施形態を説明する。
【０１８９】
＜６．１．端末装置の構成＞
まず、図１２を参照して、第３の実施形態に係る端末装置３００の構成の一例を説明する。図１２は、第３の実施形態に係る端末装置３００の構成の一例を示すブロック図である。図１２を参照すると、端末装置３００は、アンテナ部３１０、無線通信部３２０、記憶部３３０、気圧測定部３４０、温度測定部３５０、位置測定部３６０及び処理部３８０を備える。
【０１９０】
アンテナ部３１０、無線通信部３２０、記憶部３３０、気圧測定部３４０、温度測定部３５０及び位置測定部３６０についての説明は、第１の実施形態と第３の実施形態との間に差異はない。よって、ここでは重複する記載を省略する。
【０１９１】
（処理部３８０）
処理部３８０は、端末装置３００の様々な機能を提供する。処理部３８０は、測定制御部３８１、情報取得部３８３、気圧補正部３８５、高度推定部３８７及び報告部３８９を含む。なお、処理部３８０は、これらの構成要素以外の他の構成要素をさらに含み得る。即ち、処理部３８０は、これらの構成要素の動作以外の動作も行い得る。
【０１９２】
＜６．２．技術的特徴＞
次に、第３の実施形態に係る技術的特徴を説明する。
【０１９３】
第３の実施形態では、端末装置３００（情報取得部３８３）は、端末装置３００により測定された気圧を示す気圧情報、端末装置３００により測定された温度を示す温度情報、及び、端末装置３００により測定される気圧の温度への依存性を示す依存性情報を取得する。そして、端末装置３００（気圧補正部３８５）は、上記気圧情報、上記温度情報、及び上記依存性情報に基づいて、補正気圧を算出する。さらに、例えば、端末装置３００（高度推定部３８７）は、上記補正気圧を示す補正気圧情報に基づいて、端末装置３００の高度を推定する。
【０１９４】
（１）気圧情報及び温度情報
端末装置３００（気圧測定部３４０）は、気圧を測定する。また、端末装置３００（温度測定部３５０）は、温度を測定する。そして、端末装置３００は、端末装置３００により測定された気圧を示す気圧情報、及び端末装置３００により測定された温度を示す温度情報を生成する。
【０１９５】
気圧及び温度の測定についての説明は、第１の実施形態と第３の実施形態との間に特段の差異はない。よって、ここでは重複する記載を省略する。
【０１９６】
（２）依存性情報
上記依存性情報についての説明は、第１の実施形態と第３の実施形態との間に特段の差異はない。よって、ここでは重複する記載を省略する。
【０１９７】
（３）補正気圧の算出
上述したように、端末装置３００（気圧補正部３８５）は、上記気圧情報、上記温度情報及び上記依存性情報に基づいて、補正気圧を算出する。
【０１９８】
補正気圧の算出の説明は、動作の主体の相違（即ち、第１の実施形態に係る主体はネットワークノード１００であり、第３の実施形態に係る主体は端末装置３００であること）を除き、第１の実施形態と第３の実施形態との間に特段の差異はない。よって、ここでは重複する記載を省略する。
【０１９９】
なお、第３の実施形態では、例えば、ネットワークが、端末装置３００に基準温度情報を通知し、端末装置３００は、当該基準温度情報に基づいて、補正気圧を算出する。
【０２００】
（４）高度の推定
上述したように、例えば、端末装置３００（高度推定部３８７）は、上記補正気圧を示す補正気圧情報に基づいて、端末装置３００の高度を推定する。
【０２０１】
端末装置３００の高度の推定の説明は、動作の主体の相違（即ち、第１の実施形態に係る主体はネットワークノード１００であり、第３の実施形態に係る主体は端末装置３００であること）を除き、第１の実施形態と第３の実施形態との間に特段の差異はない。よって、ここでは重複する記載を省略する。
【０２０２】
なお、第３の実施形態では、例えば、ネットワークが、端末装置３００に基準温度情報を通知し、端末装置３００は、当該基準温度情報に基づいて、端末装置３００の高度を推定する。
【０２０３】
（５）高度情報の報告
例えば、端末装置３００（報告部３８９）は、端末装置３００の上記高度を示す高度情報をネットワークに報告する。
【０２０４】
（ａ）条件に基づく報告
（ａ−１）報告条件情報の通知
例えば、ネットワーク（例えば、ネットワークノード１００又は基地局２００）は、高度情報を報告する条件（以下、「報告条件」と呼ぶ）に関する報告条件情報を、端末装置３００に通知する。
【０２０５】
一例として、基地局２００は、上記報告条件情報を含むシステム情報を送信する。即ち、上記報告条件情報は、システム情報の中で端末装置３００に通知される情報である。別の例として、基地局２００は、上記報告条件情報を含むシグナリングメッセージを端末装置３００へ送信してもよい。即ち、上記報告条件情報は、端末装置３００へのシグナリングメッセージの中で端末装置３００に通知さる情報であってもよい。
【０２０６】
（ａ−２）報告条件情報に基づく報告
例えば、端末装置３００（報告部３８９）は、上記ネットワークが端末装置３００に通知する上記報告条件情報に基づいて、上記ネットワークに上記高度情報を報告する。より具体的には、例えば、端末装置３００の報告部３８９は、上記報告条件が満たされる場合に、上記ネットワークに上記高度情報を報告する。
【０２０７】
（ａ−３）報告条件
高度情報を報告する報告条件についての説明は、第１の実施形態に係る気圧情報及び温度情報を報告する報告条件についての説明と同様である。よって、ここでは重複する記載を省略する。
【０２０８】
（ｂ）要求に応じた報告
例えば、上記ネットワークは、高度情報の報告を端末装置３００に要求する。すると、端末装置３００（報告部３８９）は、上記ネットワークからの要求に応じて、上記ネットワークに上記高度情報を報告する。
【０２０９】
（ｃ）報告される高度情報
上記高度情報は、推定された複数の高度のうちの選択された高度を示す情報であってもよい。一例として、値が同一の又は類似する２つ以上の高度が推定される場合に、当該２つ以上の高度のうちの１つを示す高度情報が報告されてもよい。これにより、報告に関するオーバーヘッドがより小さくなり得る。
【０２１０】
（６）緊急通信のケース
（ａ）報告
例えば、端末装置３００（報告部３８９）は、緊急通信が行われる場合に、上記ネットワークに上記高度情報を報告する。
【０２１１】
一例として、上記緊急通信として、救護者の端末装置が、火災などの発生に応じて、救護を必要とする人の端末装置３００に関する情報をネットワークに要求する。この場合に、当該ネットワーク（例えば、ネットワークノード１００又は基地局２００）は、高度情報の報告を端末装置３００に要求する。すると、端末装置３００は、上記ネットワークからの要求に応じて、気圧及び温度の測定、補正気圧の算出、及び高度の推定を行い、高度情報を上記ネットワークに報告する。そして、上記ネットワークは、救護者の上記端末装置に上記高度情報を通知する。
【０２１２】
別の例として、上記緊急通信として、救護を必要とする人の端末装置３００が、火災などの発生に応じて、緊急発信を行う。この場合に、端末装置３００は、気圧及び温度の測定、補正気圧の算出、及び高度の推定を行い、高度情報を上記ネットワークに報告する。
【０２１３】
（ｂ）位置情報の報告
例えば、端末装置３００（報告部３８９）は、緊急通信が行われる場合に、上記高度情報に加えて、端末装置３００の位置を示す位置情報を上記ネットワークに報告する。
【０２１４】
より具体的には、例えば、端末装置３００（位置測定部３６０）は、端末装置３００の位置を測定する。そして、端末装置３００（報告部３８９）は、当該位置を示す位置情報を上記ネットワークに報告する。
【０２１５】
（７）その他の情報
端末装置３００（報告部３８９）は、上記高度情報に加えて、他の情報も上記ネットワークに報告してもよい。当該他の情報についての説明は、第１の実施形態と第３の実施形態との間に特段の差異はない。よって、ここでは重複する記載を省略する。
【０２１６】
（８）例外処理
（ａ）測定された温度が異常な温度であるケース
例えば、端末装置３００の温度センサの故障などに起因して、端末装置３００により異常な温度が測定される可能性がある。このような場合に、端末装置３００は、例外処理を行ってもよい。
【０２１７】
上記例外処理についての説明は、動作の主体の相違（即ち、第１の実施形態に係る主体はネットワークノード１００であり、第３の実施形態に係る主体は端末装置３００であること）を除き、第１の実施形態と第３の実施形態との間に特段の差異はない。よって、ここでは重複する記載を省略する。
【０２１８】
（ｂ）端末装置のユーザによる入力
端末装置３００は、ユーザに入力を促す画面を表示してもよい。一例として、端末装置３００は、建物の階数をユーザに入力させるための画面を表示してもよい。そして、端末装置３００は、上記階数を示す情報をネットワークに報告してもよい。これにより、例えば、端末装置３００のユーザがどの階にいるかを特定することが可能になる。
【０２１９】
＜６．３．処理の流れ＞
次に、図１３〜図１６を参照して、第３の実施形態に係る処理の流れを説明する。
【０２２０】
（１）依存性情報の生成に係る処理
図１３は、第３の実施形態における依存性情報の生成に係る処理の概略的な流れの一例を示すフローチャートである。
【０２２１】
端末装置３００（気圧測定部３４０）は、気圧を測定する（Ｓ５５１）。また、端末装置３００（温度測定部３５０）は、温度を測定する（Ｓ５５３）。
【０２２２】
端末装置３００（気圧補正部３８５）は、端末装置３００により測定された気圧を示す気圧情報、及び端末装置３００により測定された温度を示す温度情報に基づいて、端末装置３００により測定される気圧の温度への依存性を示す依存性情報を生成する（Ｓ５５５）。
【０２２３】
その後、端末装置３００は、上記依存性情報を（例えば記憶部３３０に）記憶する（Ｓ５５７）。そして、処理は終了する。
【０２２４】
なお、端末装置３００は、気圧及び温度を複数回測定し、気圧情報及び温度情報の複数のセットに基づいて、上記依存性情報を生成してもよい。
【０２２５】
（２）高度の推定
（ａ）基本的な処理
図１４は、第３の実施形態における高度の推定に係る処理の概略的な流れの一例を示すフローチャートである。
【０２２６】
端末装置３００（気圧測定部３４０）は、気圧を測定する（Ｓ５６１）。また、端末装置３００（温度測定部３５０）は、温度を測定する（Ｓ５６３）。
【０２２７】
端末装置３００（情報取得部３８３）は、上記気圧を示す気圧情報、上記温度を示す温度情報、及び端末装置３００により測定される気圧の温度への依存性を示す依存性情報（並びに基準温度情報）を取得する（Ｓ５６５）。そして、端末装置３００は、上記気圧情報、上記温度情報及び上記依存性情報（並びに、上記基準温度情報）に基づいて、補正気圧を算出する（Ｓ５６７）。
【０２２８】
さらに、端末装置３００（高度推定部３８７）は、上記補正気圧を示す補正気圧情報（及び基準温度情報など）に基づいて、端末装置３００の高度を推定する（Ｓ５６９）。
【０２２９】
端末装置３００（報告部３８９）は、（例えば、高度情報を報告する報告条件が満たされる場合に、）上記高度を示す高度情報をネットワークに報告する（Ｓ５７１）。
【０２３０】
なお、端末装置３００は、上記ネットワークからの要求に応じて、上記高度情報をネットワークに報告してもよい。
【０２３１】
（ｂ）緊急通信時の処理（第１の例）
図１５は、第３の実施形態における緊急通信時の高度の推定に係る処理の概略的な流れの第１の例を示すシーケンス図である。当該第１の例は、端末装置３００が緊急発信を行う場合の例である。
【０２３２】
（例えば救護を必要とする人の）端末装置３００は、緊急発信を行う（Ｓ５８１、Ｓ５８３）。（例えば救護者の）端末装置４００は、当該緊急発信を受信する。
【０２３３】
端末装置３００は、気圧を測定し（Ｓ５８５）、温度を測定する（Ｓ５８７）。そして、端末装置３００は、上記気圧を示す気圧情報、上記温度を示す温度情報、及び端末装置３００により測定される気圧の温度への依存性を示す依存性情報（並びに基準温度情報）に基づいて、補正気圧を算出する（Ｓ５８９）。さらに、端末装置３００は、上記補正気圧を示す補正気圧情報（及び基準温度情報など）に基づいて、端末装置３００の高度を推定する（Ｓ５９１）。また、端末装置３００は、端末装置３００の位置を測定する（Ｓ５９３）。そして、端末装置３００は、上記位置を示す位置情報、及び上記高度を示す高度情報をネットワークに報告する（Ｓ５９５）。
【０２３４】
端末装置４００は、端末装置３００に関する情報（例えば、位置情報及び高度情報など）を上記ネットワークに要求し（Ｓ５９７）、上記ネットワークは、上記位置情報及び上記高度情報を端末装置４００に通知する（Ｓ５９９）。
【０２３５】
（ｃ）緊急時の処理（第２の例）
図１６は、第３の実施形態における緊急通信時の高度の推定に係る処理の概略的な流れの第２の例を示すシーケンス図である。当該第２の例は、緊急通信の中で端末装置４００が端末装置３００に関する情報を要求する場合の例である。
【０２３６】
（例えば救護者の）端末装置４００は、（例えば救護を必要とする人の）端末装置３００に関する情報（例えば、位置情報及び高度情報など）をネットワークに要求する（Ｓ６２１）。そして、当該ネットワークは、位置情報及び高度情報の報告を端末装置３００に要求する（Ｓ６２３）。
【０２３７】
端末装置３００は、ネットワークからの要求に応じて、気圧を測定し（Ｓ６２５）、温度を測定する（Ｓ６２７）。そして、端末装置３００は、上記気圧を示す気圧情報、上記温度を示す温度情報、及び端末装置３００により測定される気圧の温度への依存性を示す依存性情報（並びに基準温度情報）に基づいて、補正気圧を算出する（ＳＳ６２９）。さらに、端末装置３００は、上記補正気圧を示す補正気圧情報（及び基準温度情報など）に基づいて、端末装置３００の高度を推定する（Ｓ６３１）。また、端末装置３００は、端末装置３００の位置を測定する（Ｓ６３３）。
【０２３８】
端末装置３００は、上記位置を示す位置情報、及び上記高度を示す高度情報をネットワークに報告する（Ｓ６３５）。さらに、上記ネットワークは、上記位置情報及び上記高度情報を端末装置４００に通知する（Ｓ６３７）。
【０２３９】
以上、第３の実施形態を説明した。とりわけ第３の実施形態では、端末装置３００が、補正気圧の算出及び高度の推定を行う。そのため、例えば、ネットワークにとっての処理の負荷の増加が抑えられ得る。
【０２４０】
＜＜７．第４の実施形態＞＞
続いて、図１７〜図２０を参照して、本開示の第４の実施形態を説明する。
【０２４１】
＜７．１．端末装置の構成＞
まず、図１７を参照して、第４の実施形態に係る端末装置３００の構成の一例を説明する。図１７は、第４の実施形態に係る端末装置３００の構成の一例を示すブロック図である。図１７を参照すると、端末装置３００は、アンテナ部３１０、無線通信部３２０、記憶部３３０、気圧測定部３４０、温度測定部３５０、位置測定部３６０及び処理部３９０を備える。
【０２４２】
アンテナ部３１０、無線通信部３２０、記憶部３３０、気圧測定部３４０、温度測定部３５０、位置測定部３６０についての説明は、第１の実施形態と第４の実施形態との間に差異はない。よって、ここでは重複する記載を省略する。
【０２４３】
（処理部３９０）
処理部３９０は、端末装置３００の様々な機能を提供する。処理部３９０は、測定制御部３９１、情報取得部３９３、気圧補正部３９５及び報告部３９７を含む。なお、処理部３９０は、これらの構成要素以外の他の構成要素をさらに含み得る。即ち、処理部３９０は、これらの構成要素の動作以外の動作も行い得る。
【０２４４】
＜７．２．技術的特徴＞
次に、第４の実施形態に係る技術的特徴を説明する。
【０２４５】
第４の実施形態では、端末装置３００（情報取得部３９３）は、端末装置３００により測定された気圧を示す気圧情報、端末装置３００により測定された温度を示す温度情報、及び、端末装置３００により測定される気圧の温度への依存性を示す依存性情報を取得する。そして、端末装置３００（気圧補正部３９５）は、上記気圧情報、上記温度情報、及び上記依存性情報に基づいて、補正気圧を算出する。さらに、例えば、端末装置３００（報告部３９７）は、上記補正気圧を示す補正気圧情報を、当該補正気圧情報に基づいて端末装置３００の高度を推定するネットワークに報告する。
【０２４６】
（１）気圧情報及び温度情報
気圧及び温度の測定についての説明は、第１の実施形態と第４の実施形態との間に特段の差異はない。よって、ここでは重複する記載を省略する。
【０２４７】
（２）依存性情報
上記依存性情報についての説明は、第３の実施形態（又は第１の実施形態）と第４の実施形態との間に特段の差異はない。よって、ここでは重複する記載を省略する。
【０２４８】
（３）補正気圧の算出
補正気圧の算出についての説明は、第３の実施形態と第４の実施形態との間に特段の差異はない。よって、ここでは重複する記載を省略する。
【０２４９】
（４）補正気圧情報の報告
上述したように、端末装置３００（報告部３９７）は、上記補正気圧を示す補正気圧情報を、当該補正気圧情報に基づいて端末装置３００の高度を推定するネットワークに報告する。
【０２５０】
（ａ）条件に基づく報告
（ａ−１）報告条件情報の通知
例えば、ネットワーク（例えば、ネットワークノード１００又は基地局２００）は、気圧情報を報告する条件（以下、「報告条件」と呼ぶ）に関する報告条件情報を、端末装置３００に通知する。
【０２５１】
一例として、基地局２００は、上記報告条件情報を含むシステム情報を送信する。即ち、上記報告条件情報は、システム情報の中で端末装置３００に通知される情報である。別の例として、基地局２００は、上記報告条件情報を含むシグナリングメッセージを端末装置３００へ送信してもよい。即ち、上記報告条件情報は、端末装置３００へのシグナリングメッセージの中で端末装置３００に通知さる情報であってもよい。
【０２５２】
（ａ−２）報告条件情報に基づく報告
例えば、端末装置３００（報告部３９７）は、上記ネットワークが端末装置３００に通知する上記報告条件情報に基づいて、上記ネットワークに上記補正気圧情報を報告する。より具体的には、例えば、端末装置３００の報告部３９７は、上記報告条件が満たされる場合に、上記ネットワークに上記補正気圧情報を報告する。
【０２５３】
（ａ−３）報告条件
気圧情報を報告する報告条件についての説明は、第３の実施形態に係る高度情報を報告する報告条件についての説明（又は、第１の実施形態に係る気圧情報及び温度情報を報告する報告条件についての説明）と同様である。よって、ここでは重複する記載を省略する。
【０２５４】
（ｂ）要求に応じた報告
例えば、上記ネットワークは、気圧情報の報告を端末装置３００に要求する。すると、端末装置３００（報告部３９７）は、上記ネットワークからの要求に応じて、上記ネットワークに上記補正気圧情報を報告する。
【０２５５】
（ｃ）報告される補正気圧情報
上記補正気圧情報は、算出された複数の補正気圧のうちの選択された補正気圧を示す情報であってもよい。一例として、値が同一の又は類似する２つ以上の補正気圧が算出される場合に、当該２つ以上の補正気圧のうちの１つを示す補正気圧情報が報告されてもよい。これにより、報告に関するオーバーヘッドがより小さくなり得る。
【０２５６】
（５）緊急通信のケース
緊急通信が行われる場合の動作については、端末装置３００により報告される情報の相違（第３の実施形態では高度情報が報告され、第４の実施形態では補正気圧情報が報告されること）を除き、第３の実施形態と第４の実施形態との間に特段の差異はない。よって、ここでは重複する記載を省略する。
【０２５７】
なお、第４の実施形態では、ネットワーク（例えば、ネットワークノード１００又は基地局２００）が、上記補正気圧情報に基づいて、端末装置３００の高度を推定する。
【０２５８】
（６）その他の情報
端末装置３００（報告部３９７）は、上記高度情報に加えて、他の情報も上記ネットワークに報告してもよい。当該他の情報についての説明は、第３の実施形態（又は第１の実施形態）と第４の実施形態との間に特段の差異はない。よって、ここでは重複する記載を省略する。
【０２５９】
（７）例外処理
例外処理についての説明は、第３の実施形態と第４の実施形態との間に特段の差異はない。よって、ここでは重複する記載を省略する。
【０２６０】
＜７．３．処理の流れ＞
次に、図１８〜図２０を参照して、第４の実施形態に係る処理の流れを説明する。
【０２６１】
（１）依存性情報の生成に係る処理
依存性情報の生成に係る処理についての説明は、第３の実施形態と第４の実施形態との間に差異はない。よって、ここでは重複する記載を省略する。
【０２６２】
（２）高度の推定
（ａ）基本的な処理
図１８は、第４の実施形態における高度の推定に係る処理の概略的な流れの一例を示すシーケンス図である。
【０２６３】
ネットワーク（例えば、ネットワークノード１００又は基地局２００）は、気圧を測定する条件（即ち、測定条件）に関する測定条件情報、及び、気圧情報を報告する条件（即ち、報告条件）に関する報告条件情報を、端末装置３００に通知する（Ｓ６４１）。
【０２６４】
端末装置３００は、例えば上記測定条件が満たされる場合に、気圧を測定し（Ｓ６４３）、温度を測定する（Ｓ６４５）。そして、端末装置３００は、上記気圧を示す気圧情報、上記温度を示す温度情報、及び、端末装置３００により測定される気圧の温度への依存性を示す依存性情報（並びに基準温度情報）に基づいて、補正気圧を算出する（Ｓ６４７）。そして、端末装置３００は、例えば上記報告条件が満たされる場合に、上記補正気圧を示す補正気圧情報を上記ネットワークに報告する（Ｓ６４９）
【０２６５】
上記ネットワーク（例えば、ネットワークノード１００又は基地局２００）は、上記補正気圧情報（及び基準温度情報など）に基づいて、端末装置３００の高度を推定する（Ｓ６５１）。
【０２６６】
なお、端末装置３００は、上記ネットワークからの要求に応じて、上記補正気圧情報を上記ネットワークに報告してもよい。
【０２６７】
（ｂ）緊急通信時の処理（第１の例）
図１９は、第４の実施形態における緊急通信時の高度の推定に係る処理の概略的な流れの第１の例を示すシーケンス図である。当該第１の例は、端末装置３００が緊急発信を行う場合の例である。
【０２６８】
（例えば救護を必要とする人の）端末装置３００は、緊急発信を行う（Ｓ６６１、Ｓ６６３）。（例えば救護者の）端末装置４００は、当該緊急発信を受信する。
【０２６９】
端末装置３００は、気圧を測定し（Ｓ６６５）、温度を測定する（Ｓ６６７）。そして、端末装置３００は、上記気圧を示す気圧情報、上記温度を示す温度情報、及び端末装置３００により測定される気圧の温度への依存性を示す依存性情報（並びに基準温度情報）に基づいて、補正気圧を算出する（Ｓ６６９）。また、端末装置３００は、端末装置３００の位置を測定する（Ｓ６７１）。そして、端末装置３００は、上記位置を示す位置情報、及び上記補正気圧を示す補正気圧情報をネットワークに報告する（Ｓ６７３）。
【０２７０】
上記ネットワーク（例えば、ネットワークノード１００又は基地局２００）は、上記補正気圧情報（及び基準温度情報など）に基づいて、端末装置３００の高度を推定する（Ｓ６７５）。
【０２７１】
端末装置４００は、端末装置３００に関する情報（例えば、位置情報及び高度情報など）を上記ネットワークに要求し（Ｓ６７７）、上記ネットワークは、上記位置情報、及び上記高度を示す高度情報を、端末装置４００に通知する（Ｓ６７９）。
【０２７２】
（ｃ）緊急時の処理（第２の例）
図２０は、第４の実施形態における緊急通信時の高度の推定に係る処理の概略的な流れの第２の例を示すシーケンス図である。当該第２の例は、緊急通信の中で端末装置４００が端末装置３００に関する情報を要求する場合の例である。
【０２７３】
（例えば救護者の）端末装置４００は、（例えば救護を必要とする人の）端末装置３００に関する情報（例えば、位置情報及び高度情報など）をネットワークに要求する（Ｓ６８１）。そして、当該ネットワークは、位置情報及び気圧情報の報告を端末装置３００に要求する（Ｓ６８３）。
【０２７４】
端末装置３００は、気圧を測定し（Ｓ６８５）、温度を測定する（Ｓ６８７）。そして、端末装置３００は、上記気圧を示す気圧情報、上記温度を示す温度情報、及び端末装置３００により測定される気圧の温度への依存性を示す依存性情報（並びに基準温度情報）に基づいて、補正気圧を算出する（Ｓ６８９）。また、端末装置３００は、端末装置３００の位置を測定する（Ｓ６９１）。そして、端末装置３００は、上記位置を示す位置情報、及び上記補正気圧を示す補正気圧情報をネットワークに報告する（Ｓ６９３）。
【０２７５】
上記ネットワーク（例えば、ネットワークノード１００又は基地局２００）は、上記補正気圧情報（及び基準温度情報など）に基づいて、端末装置３００の高度を推定する（Ｓ６９５）。そして、上記ネットワークは、上記位置情報、及び上記高度を示す高度情報を、端末装置４００に通知する（Ｓ６９７）。
【０２７６】
以上、第４の実施形態を説明した。とりわけ第４の実施形態では、端末装置３００が、補正気圧を算出し、ネットワークが高度を推定する。そのため、例えば、ネットワークと端末装置との間で処理の付加が分散され得る。
【０２７７】
＜＜８．応用例＞＞
本開示に係る技術は、様々な製品へ応用可能である。例えば、ネットワークノード１００は、タワーサーバ、ラックサーバ、又はブレードサーバなどのいずれかの種類のサーバとして実現されてもよい。また、ネットワークノード１００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０２７８】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。さらに、基地局２００の少なくとも一部の構成要素は、基地局装置又は基地局装置のためのモジュールにおいて実現されてもよい。
【０２７９】
また、例えば、端末装置３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置３００は、Ｍ２Ｍ（Machine  To  Machine）通信を行う端末（ＭＴＣ（Machine  Type  Communication）端末ともいう）として実現されてもよい。さらに、端末装置３００の少なくとも一部の構成要素は、これら端末に搭載されるモジュール（例えば、１つのダイで構成される集積回路モジュール）において実現されてもよい。
【０２８０】
＜８．１．ネットワークノードに関する応用例＞
図２１は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２８１】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２８２】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２８３】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２８４】
図２１に示したサーバ７００において、図３を参照して説明した処理部１３０に含まれる１つ以上の構成要素（通知部１３１、情報取得部１３３、気圧補正部１３５及び／又は高度推定部１３７）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０２８５】
＜８．２．基地局に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２８６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０２８７】
基地局装置８２０は、コントローラ８２１、メモリ８２２、ネットワークインタフェース８２３及び無線通信インタフェース８２５を備える。
【０２８８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２８９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２９０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２９１】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２９２】
図２２に示したｅＮＢ８００において、図１１を参照して説明した処理部２５０に含まれる１つ以上の構成要素（通知部２５１、情報取得部２５３、気圧補正部２５５及び／又は高度推定部２５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２９３】
また、図２２に示したｅＮＢ８００において、図１１を参照して説明した無線通信部２２０は、無線通信インタフェース８２５（例えば、ＲＦ回路８２７）において実装されてもよい。また、アンテナ部２１０は、アンテナ８１０において実装されてもよい。また、ネットワーク通信部２３０は、コントローラ８２１及び／又はネットワークインタフェース８２３において実装されてもよい。
【０２９４】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２９５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０２９６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０２９７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２３に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０２９８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２９９】
また、ＲＲＨ８６０は、接続インタフェース８６１及び無線通信インタフェース８６３を備える。
【０３００】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３０１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０３０２】
図２３に示したｅＮＢ８３０において、図１１を参照して説明した処理部２５０に含まれる１つ以上の構成要素（通知部２５１、情報取得部２５３、気圧補正部２５５及び／又は高度推定部２５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３０３】
また、図２３に示したｅＮＢ８３０において、例えば、図１１を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０３０４】
＜８．３．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３０５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３０６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ、加速度センサ、気圧センサ及び温度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３０７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３０８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３０９】
アンテナスイッチ９１５の各々は、無線通信インタフェース９１２に含まれる複数の回路（例えば、異なる無線通信方式のための回路）の間でアンテナ９１６の接続先を切り替える。
【０３１０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０３１１】
さらに、スマートフォン９００は、無線通信方式ごとにアンテナ９１６を備えてもよい。その場合に、アンテナスイッチ９１５は、スマートフォン９００の構成から省略されてもよい。
【０３１２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０３１３】
図２４に示したスマートフォン９００において、図４を参照して説明した処理部３７０に含まれる１つ以上の構成要素（測定制御部３７１、情報取得部３７３及び／又は報告部３７５）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１２を参照して説明した処理部３８０に含まれる１つ以上の構成要素（測定制御部３８１、情報取得部３８３、気圧補正部３８５、高度推定部３８７及び／又は報告部３８９）、並びに、図１７を参照して説明した処理部３９０に含まれる１つ以上の構成要素（測定制御部３９１、情報取得部３９３、気圧補正部３９５及び／又は報告部３９７）も、処理部３７０に含まれる上記１つ以上の構成要素と同様である。
【０３１４】
また、図２４に示したスマートフォン９００において、例えば、図４を参照して説明した無線通信部３２０は、無線通信インタフェース９１２（例えば、ＲＦ回路９１４）において実装されてもよい。また、アンテナ部３１０は、アンテナ９１６において実装されてもよい。また、気圧測定部３４０、温度測定部３５０及び位置測定部３６０は、センサ９０７において実装されてもよい。
【０３１５】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３１６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３１７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ、気圧センサ及び温度センサなどのセンサ群を含み得る。データインタフェース９２６は、例えば、図示しない端子を介して車載ネットワーク９４１に接続され、車速データなどの車両側で生成されるデータを取得する。
【０３１８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３１９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３２０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３２１】
アンテナスイッチ９３６の各々は、無線通信インタフェース９３３に含まれる複数の回路（例えば、異なる無線通信方式のための回路）の間でアンテナ９３７の接続先を切り替える。
【０３２２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０３２３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３２４】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０３２５】
図２５に示したカーナビゲーション装置９２０において、図４を参照して説明した処理部３７０に含まれる１つ以上の構成要素（測定制御部３７１、情報取得部３７３及び／又は報告部３７５）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。これらの点については、図１２を参照して説明した処理部３８０に含まれる１つ以上の構成要素（測定制御部３８１、情報取得部３８３、気圧補正部３８５、高度推定部３８７及び／又は報告部３８９）、並びに、図１７を参照して説明した処理部３９０に含まれる１つ以上の構成要素（測定制御部３９１、情報取得部３９３、気圧補正部３９５及び／又は報告部３９７）も、処理部３７０に含まれる上記１つ以上の構成要素と同様である。
【０３２６】
また、図２５に示したカーナビゲーション装置９２０において、例えば、図４を参照して説明した無線通信部３２０は、無線通信インタフェース９３３（例えば、ＲＦ回路９３５）において実装されてもよい。また、アンテナ部３１０は、アンテナ９３７において実装されてもよい。また、気圧測定部３４０及び温度測定部３５０は、センサ９２５において実装されてもよい。また、位置測定部３６０は、ＧＰＳモジュール９２４において実装されてもよい。
【０３２７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部３７０（又は処理部３８０若しくは処理部３９０）に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３２８】
＜＜９．まとめ＞＞
ここまで、図２〜図２５を参照して、本開示の実施形態に係る装置及び処理を説明した。
【０３２９】
本開示に係る実施形態によれば、端末装置３００により測定された気圧を示す気圧情報、端末装置３００により測定された温度を示す温度情報、及び、端末装置３００により測定される気圧の温度への依存性を示す依存性情報を取得する情報取得部と、上記気圧情報、上記温度情報、及び上記依存性情報に基づいて、補正された気圧を算出する気圧補正部と、を備える装置が提供される。
【０３３０】
これにより、例えば、端末装置３００の高度をより高い精度で推定することが可能になる。
【０３３１】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３３２】
例えば、端末装置の高度として海面を基準とする高度を推定する例を説明したが、本開示は係る例に限定されない。端末装置の高度として、端末装置の高度として別の地点を基準とする高度が推定されてもよい。
【０３３３】
また、例えば、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３３４】
また、本明細書の装置（例えば、ネットワークノード若しくはネットワークノードのためのモジュール、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、情報取得部、気圧補正部及び／又は高度推定部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、ネットワークノード若しくはネットワークノードのためのモジュール、基地局、基地局装置若しくは基地局装置のためのモジュール、又は、端末装置若しくは端末装置のためのモジュール）も提供されてもよい。また、上記装置の構成要素（例えば、情報取得部、気圧補正部及び／又は高度推定部など）の動作を含む方法も、本開示に係る技術に含まれる。
【０３３５】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３３６】
なお、以下のような構成も本開示の技術的範囲に属する。
（１）
端末装置により測定された気圧を示す気圧情報、前記端末装置により測定された温度を示す温度情報、及び、前記端末装置により測定される気圧の温度への依存性を示す依存性情報を取得する取得部と、
前記気圧情報、前記温度情報、及び前記依存性情報に基づいて、補正された気圧を算出する補正部と、
を備える装置。
（２）
前記補正部は、前記気圧情報、前記温度情報、前記依存性情報、及び、前記端末装置が位置するエリア内の位置で測定された温度を示す他の温度情報に基づいて、前記補正された気圧を算出する、前記（１）に記載の装置。
（３）
前記依存性情報は、前記端末装置により測定された気圧を示す情報と、前記端末装置により測定された温度を示す情報とに基づいて生成された情報、又は、前記端末装置において記憶されている情報である、前記（１）又は（２）に記載の装置。
（４）
前記補正された気圧を示す補正気圧情報に基づいて、前記端末装置の高度を推定する推定部、をさらに備える、前記（１）〜（３）のいずれか１項に記載の装置。
（５）
前記推定部は、前記補正気圧情報、及び、前記端末装置が位置するエリア内の位置で測定された温度を示す他の温度情報に基づいて、前記高度を推定する、前記（４）に記載の装置。
（６）
前記装置は、前記端末装置、又は前記端末装置のためのモジュールであり、
前記装置は、
前記高度を示す高度情報をネットワークに報告する報告部、
をさらに備える、前記（４）又は（５）に記載の装置。
（７）
前記装置は、前記端末装置、又は前記端末装置のためのモジュールであり、
前記装置は、
前記補正された気圧を示す補正気圧情報を、当該補正気圧情報に基づいて前記端末装置の高度を推定するネットワークに報告する報告部、
をさらに備える、前記（１）〜（３）のいずれか１項に記載の装置。
（８）
前記装置は、ネットワークノード、又はネットワークノードのためのモジュールであり、
前記装置は、
気圧及び温度を測定する条件に関する測定条件情報、又は、気圧情報及び温度情報を報告する条件に関する報告条件情報を、前記端末装置に通知する通知部、
をさらに備える、前記（１）〜（５）のいずれか１項に記載の装置。
（９）
気圧及び温度を測定する前記条件は、
端末装置の位置に関する位置条件が満たされること、
時間に関する時間条件が満たされること、又は、
端末装置における受信信号に関する信号条件が満たされること
を含む、
前記（８）に記載の装置。
（１０）
気圧情報及び温度情報を報告する前記条件は、
端末装置の位置に関する位置条件が満たされること、
時間に関する時間条件が満たされること、
端末装置における受信信号に関する信号条件が満たされること、
測定される気圧又は温度に関する測定結果条件が満たされること、
端末装置が同じ位置に又は同じ領域内に所定時間以上位置すること、
新たな位置又は領域で気圧及び温度の測定が行われること、
端末装置のモードが接続モード及びアイドルモードの一方から他方へ切り替えられること、
端末装置のハンドオーバが行われること、又は、
端末装置が緊急通信を行うこと
を含む、
前記（８）又は（９）に記載の装置。
（１１）
前記装置は、ネットワークノード、又はネットワークノードのためのモジュールであり、
前記装置は、
気圧及び温度の測定、又は気圧情報及び温度情報の報告を、前記端末装置に要求する通知部、
をさらに備える、前記（１）〜（５）及び（８）〜（１０）のいずれか１項に記載の装置。
（１２）
前記通知部は、前記端末装置に関連する緊急通信が行われる場合に、前記測定又は前記報告を前記端末装置に要求する、前記（１１）に記載の装置。
（１３）
プロセッサにより、
端末装置により測定された気圧を示す気圧情報、前記端末装置により測定された温度を示す温度情報、及び、前記端末装置により測定される気圧の温度への依存性を示す依存性情報を取得することと、
前記気圧情報、前記温度情報、及び前記依存性情報に基づいて、補正された気圧を算出することと、
を含む方法。
（１４）
端末装置により測定された気圧を示す気圧情報、及び、端末装置により測定された温度を示す温度情報を取得する取得部と、
前記気圧情報、前記温度情報、及び、前記端末装置により測定される気圧の温度への依存性を示す依存性情報に基づいて、補正された気圧を算出するネットワークに、前記気圧情報及び前記温度情報を報告する報告部と、
を備える装置。
（１５）
前記報告部は、気温情報及び温度情報を報告する条件に関する報告条件情報であって、前記ネットワークが前記端末装置に通知する前記報告条件情報に基づいて、前記ネットワークに前記気圧情報及び前記温度情報を報告する、前記（１４）に記載の装置。
（１６）
気圧及び温度を測定する条件に関する測定条件情報であって、前記ネットワークが前記端末装置に通知する前記測定条件情報に基づいて、前記端末装置による気圧及び温度の測定を制御する測定制御部、をさらに備える、前記（１４）又は（１５）に記載の装置。
（１７）
前記報告部は、前記ネットワークからの要求に応じて、前記ネットワークに前記気圧情報及び前記温度情報を報告する、前記（１４）〜（１６）のいずれか１項に記載の装置。
（１８）
前記報告部は、緊急通信が行われる場合に、前記ネットワークに前記気圧情報及び前記温度情報を報告する、前記（１４）〜（１７）のいずれか１項に記載の装置。
（１９）
前記報告部は、緊急通信が行われる場合に、前記気圧情報及び前記温度情報に加えて、前記端末装置の位置を示す位置情報を前記ネットワークに報告する、前記（１８）に記載の装置。
（２０）
プロセッサにより、
端末装置により測定された気圧を示す気圧情報、及び、端末装置により測定された温度を示す温度情報を取得することと、
前記気圧情報、前記温度情報、及び、前記端末装置により測定される気圧の温度への依存性を示す依存性情報に基づいて、補正された気圧を算出するネットワークに、前記気圧情報及び前記温度情報を報告することと、
を含む方法。
（２１）
端末装置により測定された気圧を示す気圧情報、前記端末装置により測定された温度を示す温度情報、及び、前記端末装置により測定される気圧の温度への依存性を示す依存性情報を取得することと、
前記気圧情報、前記温度情報、及び前記依存性情報に基づいて、補正された気圧を算出することと、
をプロセッサに実行させるためのプログラム。
（２２）
端末装置により測定された気圧を示す気圧情報、前記端末装置により測定された温度を示す温度情報、及び、前記端末装置により測定される気圧の温度への依存性を示す依存性情報を取得することと、
前記気圧情報、前記温度情報、及び前記依存性情報に基づいて、補正された気圧を算出することと、
をプロセッサに実行させるためのプログラムを記録した読み取り可能な記録媒体。
（２３）
端末装置により測定された気圧を示す気圧情報、及び、端末装置により測定された温度を示す温度情報を取得することと、
前記気圧情報、前記温度情報、及び、前記端末装置により測定される気圧の温度への依存性を示す依存性情報に基づいて、補正された気圧を算出するネットワークに、前記気圧情報及び前記温度情報を報告することと、
をプロセッサに実行させるためのプログラム。
（２４）
端末装置により測定された気圧を示す気圧情報、及び、端末装置により測定された温度を示す温度情報を取得することと、
前記気圧情報、前記温度情報、及び、前記端末装置により測定される気圧の温度への依存性を示す依存性情報に基づいて、補正された気圧を算出するネットワークに、前記気圧情報及び前記温度情報を報告することと、
をプロセッサに実行させるためのプログラムを記録した読み取り可能な記録媒体。
【符号の説明】
【０３３７】
１                      システム
１００                  ネットワークノード
１３１                  通知部
１３３                  情報取得部
１３５                  気圧補正部
１３７                  高度推定部
２００                  基地局
２５１                  通知部
２５３                  情報取得部
２５５                  気圧補正部
２５７                  高度推定部
３００                  端末装置
３７１、３８１、３９１  測定制御部
３７３、３８３、３９３  情報取得部
３７５、３８９、３９７  報告部
３８５、３９５          気圧補正部
３８７                  高度推定部
【図１】
2016109637.tif 000010
【図２】
2016109637.tif 000011
【図３】
2016109637.tif 000012
【図４】
2016109637.tif 000013
【図５】
2016109637.tif 000014
【図６】
2016109637.tif 000015
【図７】
2016109637.tif 000016
【図８】
2016109637.tif 000017
【図９】
2016109637.tif 000018
【図１０】
2016109637.tif 000019
【図１１】
2016109637.tif 000020
【図１２】
2016109637.tif 000021
【図１３】
2016109637.tif 000022
【図１４】
2016109637.tif 000023
【図１５】
2016109637.tif 000024
【図１６】
2016109637.tif 000025
【図１７】
2016109637.tif 000026
【図１８】
2016109637.tif 000027
【図１９】
2016109637.tif 000028
【図２０】
2016109637.tif 000029
【図２１】
2016109637.tif 000030
【図２２】
2016109637.tif 000031
【図２３】
2016109637.tif 000032
【図２４】
2016109637.tif 000033
【図２５】
2016109637.tif 000034